(57)【要約】  複合ヒューマンインターフェース機器において、制御部と、第１複合機能入力ボタンとにより構成され、前記第１複合機能入力ボタンは、ユーザの指の接触が行われるカバー部と、電場を形成するためのトランスミッタ及びレシーバを含むエレクトロード部と、前記カバー部から第１圧力を受けて第１高さから第２高さに移動し、前記カバー部の前記第１圧力が解除された場合、前記第１高さに復元される弾性部と、予め決められた文字の入力を示す電気的信号を発生するスイッチ部とにより構成された複合ヒューマンインターフェース機器である。
2019521462.tif 000002
【特許請求の範囲】
【請求項１】
複合ヒューマンインターフェースが備えられた電子機器において、
第１から第５複合機能入力ボタンと、
前記入力ボタンから受信した信号を制御部に伝達するサーキットレイヤとにより構成され、
前記複合機能入力ボタンの各々は、
ユーザのポインタ位置関連情報の入力を受信するトランスミッタ部とレシーバ部とにより構成されたエレクトロード部と、
前記エレクトロード部と連結された電気的連結部材と、
ユーザの物理的圧力に反応してテキスト入力信号を発生するスイッチとにより構成され、
前記トランスミッタ部は、互いに異なるドライバ信号発生タイミングを有する第１及び第２トランスミッタを有し、前記レシーバ部は、少なくとも２つの互いに異なるスキャンタイミングを有する第１及び第２レシーバを有し、
前記電気的連結部材は、前記ユーザの物理的圧力によって前記エレクトロード部と前記サーキットレイヤとの相対的位置が変わっても電気的に連結する、複合ヒューマンインターフェースが備えられた電子機器。
【請求項２】
前記第４複合機能入力ボタンの前記第１レシーバは、前記第２複合機能入力ボタンの前記第２レシーバと同じスキャンタイミングを有し、
前記第４複合機能入力ボタンの前記第２レシーバは、前記第１複合機能入力ボタンの前記第１レシーバと同じスキャンタイミングを有する、請求項１に記載の複合ヒューマンインターフェースが備えられた電子機器。
【請求項３】
前記第１から第３複合機能入力ボタンの前記第１トランスミッタは、第１ドライブ信号発生タイミングを有し、前記第１から第３複合機能入力ボタンの前記第２トランスミッタは、第２ドライブ信号発生タイミングを有し、前記第１ドライブ信号発生タイミングと前記第２ドライブ信号発生タイミングとは互いに異なる、請求項１に記載の複合ヒューマンインターフェースが備えられた電子機器。
【請求項４】
前記第４複合機能入力ボタンの第２トランスミッタは、第３ドライブ信号発生タイミングを有し、前記第５複合機能入力ボタンの第１トランスミッタは、第４ドライブ信号発生タイミングを有し、前記第３ドライブ信号発生タイミングと前記第１ドライブ信号発生タイミングと前記第２ドライブ信号発生タイミングと前記第４ドライブ信号発生タイミングとは順次的である、請求項３に記載の複合ヒューマンインターフェースが備えられた電子機器。
【請求項５】
前記第５複合機能入力ボタンの前記第１レシーバは、前記第１複合機能入力ボタンの前記第２レシーバと同じスキャンタイミングを有し、
前記第５複合機能入力ボタンの前記第２レシーバは、前記第３複合機能入力ボタンの前記第１レシーバと同じスキャンタイミングを有する、請求項１に記載の複合ヒューマンインターフェースが備えられた電子機器。
【請求項６】
前記サーキットレイヤと、前記第１複合機能入力ボタンの前記エレクトロード部と、前記第１複合機能入力ボタンの前記電気的連結部材とは、１つのフレキシブルプリント回路基板（ＦＰＣＢ）からなる、請求項１に記載の複合ヒューマンインターフェースが備えられた電子機器。
【請求項７】
前記第１から前記第５複合機能入力ボタンの前記エレクトロード部と、前記第１から前記第５複合機能入力ボタンの前記電気的連結部材と、前記サーキットレイヤとは、１つのフレキシブルプリント回路基板（ＦＰＣＢ）からなる、請求項１に記載の複合ヒューマンインターフェースが備えられた電子機器。
【請求項８】
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、互いに電気的に連結された状態を維持する、請求項１に記載の複合ヒューマンインターフェースが備えられた電子機器。
【請求項９】
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、前記第１リードと前記第２リードとは、互いに所定間隔以上離れており、電磁誘導現象で電気的信号を送信する、請求項１に記載の複合ヒューマンインターフェースが備えられた電子機器。
【請求項１０】
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、前記第１リードと前記第２リードとは、互いに所定間隔以上離れており、高周波信号を使用して電気的信号を送信する、請求項１に記載の複合ヒューマンインターフェースが備えられた電子機器。
【請求項１１】
前記電気的連結部材は、前記エレクトロード部と前記サーキットレイヤとを電気的に連結する弾性のある材質で構成され、ユーザの圧力信号によって前記エレクトロード部の位置が移動する際、前記ユーザの圧力信号とは逆方向の力を発生し、前記ユーザの圧力信号が除去された場合、前記エレクトロード部を前記移動前の位置に戻す、請求項１に記載の複合ヒューマンインターフェースが備えられた電子機器。
【請求項１２】
前記第４複合機能入力ボタンの前記第１レシーバは、前記第１複合機能入力ボタンの前記第１レシーバと同じスキャンタイミングを有し、
前記第４複合機能入力ボタンの前記第２レシーバは、前記第１複合機能入力ボタンの前記第２レシーバ及び前記第５複合機能入力ボタンの前記第１レシーバと同じスキャンタイミングを有する、請求項１に記載の複合ヒューマンインターフェースが備えられた電子機器。
【請求項１３】
前記第４複合機能入力ボタンの前記第１トランスミッタは、前記第１複合機能入力ボタンの前記第１トランスミッタと同じドライバ信号発生タイミングを有し、
前記第４複合機能入力ボタンの前記第２トランスミッタは、前記第１複合機能入力ボタンの前記第２トランスミッタ及び前記第５複合機能入力ボタンの前記第１トランスミッタと同じドライブ信号発生タイミングを有する、請求項１に記載の複合ヒューマンインターフェースが備えられた電子機器。
【請求項１４】
前記第１から第３複合機能入力ボタンの前記第１レシーバは、第１スキャンタイミングを有し、前記第１から第３複合機能入力ボタンの前記第２レシーバは、第２スキャンタイミングを有し、前記第１スキャンタイミングと前記第２スキャンタイミングとは互いに異なる、請求項１に記載の複合ヒューマンインターフェースが備えられた電子機器。
【請求項１５】
前記第４複合機能入力ボタンの第２レシーバは、第３スキャンタイミングを有し、前記第５複合機能入力ボタンの第１レシーバは、第４スキャンタイミングを有し、前記第３スキャンタイミングと前記第１スキャンタイミングと前記第２スキャンタイミングと前記第４スキャンタイミングとは順次的である、請求項１４に記載の複合ヒューマンインターフェースが備えられた電子機器。
【請求項１６】
前記第４複合機能入力ボタンの前記第１トランスミッタは、前記第２複合機能入力ボタンの前記第２トランスミッタと同じドライバ信号発生タイミングを有し、
前記第４複合機能入力ボタンの前記第２トランスミッタは、前記第１複合機能入力ボタンの前記第１トランスミッタと同じドライブ信号発生タイミングを有する、請求項１に記載の複合ヒューマンインターフェースが備えられた電子機器。
【請求項１７】
前記第３複合機能入力ボタンの前記第１トランスミッタは、前記第５複合機能入力ボタンの前記第２トランスミッタと同じドライバ信号発生タイミングを有する、請求項１６に記載の複合ヒューマンインターフェースが備えられた電子機器。
【請求項１８】
第１制御部をさらに含み、
前記制御部は、前記複合機能入力ボタンから受信した前記ポインタ位置関連情報と前記テキスト入力信号とを処理し、第２制御部に送信する、請求項１に記載の複合ヒューマンインターフェースが備えられた電子機器。
【請求項１９】
前記サーキットレイヤは、前記第１から第５複合機能入力ボタンのトランスミッタにドライブ信号を伝達するドライブ信号発生部と、前記第１から第５複合機能入力ボタンのレシーバからスキャン信号を受信するスキャン信号受信部とにより構成される、請求項１に記載の複合ヒューマンインターフェースが備えられた電子機器。
【請求項２０】
前記第１から第５複合機能入力ボタンは、複数の電気的連結部材を備え、前記第１複合機能入力ボタンは、前記第２、３、４、５複合機能入力ボタンの電気的連結部材と連結されており、前記第２複合機能入力ボタンは、前記第１、４複合機能入力ボタンの電気的連結部材と連結されており、前記第３複合機能入力ボタンは、前記第１複合機能入力ボタンの電気的連結部材と連結されており、前記第４複合機能入力ボタンは、前記第１、２複合機能入力ボタンの電気的連結部材と連結されており、前記第５複合機能入力ボタンは、前記第１、３複合機能入力ボタンの電気的連結部材と連結されている、請求項１に記載の複合ヒューマンインターフェースが備えられた電子機器。
【発明の詳細な説明】
【技術分野】
【０００１】
本発明は、コンピュータ、ノートパソコン、タブレットＰＣ、携帯電話など、テキスト或いはポインティング位置関連情報を受信可能なデジタル機器に、テキスト情報或いはポインティング位置情報をユーザから入力してもらい、前記デジタル機器に送信するためのヒューマンインターフェースに関する。
【背景技術】
【０００２】
パーソナルコンピュータや携帯用デジタル機器でテキストを入力するためのキーボードのようなテキスト入力装置が公開されている。また、前記デジタル機器を制御するためのポインタのポインティング位置制御及び機能遂行のためのマウス機器のようなポインティング機器が公開されている。
【発明の概要】
【発明が解決しようとする課題】
【０００３】
従来のテキスト入力装置とポインティング機器は、別の機器として備えられているか、テキスト入力装置のテキスト入力領域とは区別された別の位置にポインティング入力領域が構成されていた。それにより、テキストの入力とポインティング位置情報の入力とポインタ実行命令の入力とが頻繁に切り替えられる作業環境下においてユーザの手の移動が必要以上に発生し、作業の能率が低下している。
【課題を解決するための手段】
【０００４】
本発明において、テキスト入力装置のテキスト入力領域上にポインティング機器のポインティング位置情報入力領域を備え、テキスト入力モードとポインティング位置情報入力モードとを切り替える切替部を備えて、テキスト入力中に簡単に入力モードを切り替えることでユーザの手の移動を最少化したままポインティング入力を可能にすることにより、作業の能率を向上させることができる。
【発明の効果】
【０００５】
別々に備えられたテキスト入力装置とポインティング装置を１つのヒューマンインターフェース装置に統合することによって、製品の単価及びサイズを小さくすることができ、ユーザ操作において不要な動作を除去することで、作業の能率を向上させることができる。
【図面の簡単な説明】
【０００６】
【図１】ポインティング装置一体型のテキスト入力装置に関する例示図である。
【図２】ポインティング装置とテキスト装置とのモード切り替えに係る動作手順の一例を説明するフローチャートである。
【図３】テキスト入力装置とポインティング装置の構成に関する実施例である。
【図４】ポインタ実行命令部一体型のモード切替部の実施例である。
【図５】ポインタ位置情報入力領域を表示する実施例である。
【図６】ポインタ実行命令部一体型のモード切替部に関する実施例である。
【図７】下段位置型のポインタ位置情報入力装置を適用したヒューマンインターフェース装置のカバーを活用した実施例である。
【図８】携帯用ノートパソコンに適用されたヒューマンインターフェース装置の実施例である。
【図９】下段位置型のポインタ位置情報入力装置と下段位置型のポインタ実行命令部を適用した実施例である。
【図１０】複合機能入力ボタンの構成図である。
【図１１】複合機能入力ボタンのエレクトロードの一実施例である。
【図１２】複合機能入力のボタン配置の一実施例である。
【図１３】複合機能入力ボタンの異なるパターンのエレクトロード配置の一実施例である。
【図１４】複合機能入力ボタンの電気的連結部材の実施例である。
【図１５】複合機能入力ボタンの文字入力のためのスイッチの一実施例である。
【図１６】複合機能入力ボタンを備えたヒューマンインターフェース機器の一実施例である。
【図１７】エレクトロードキーキャップの一実施例である。
【図１８】複数の複合機能入力ボタンのエレクトロードパターンの一実施例である。
【図１９】複数の複合機能入力ボタンのエレクトロードパターンの一実施例である。
【図２０】複数の複合機能入力ボタンのエレクトロードパターンの一実施例である。
【図２１】複数の複合機能入力ボタンのエレクトロードパターンの一実施例である。
【図２２】複数の複合機能入力ボタンのエレクトロードパターンの一実施例である。
【図２３】テキスト入力モードとポインタ位置情報入力モードとの切り替え方法に関するフローチャートである。
【図２４】永久タッチモードへの切り替え方法に関するフローチャートである。
【図２５】複数の複合機能入力ボタンが板状に備えられた複合機能入力ボタンモジュールである。
【図２６】エレクトロード部１０２０の詳細構造の一例である。
【図２７】導電性接着剤の接着部位の一例である。
【図２８】複合機能入力ボタンの一実施例である。
【図２９】無線方式の電気的連結部材の実施例である。
【発明を実施するための形態】
【０００７】
本発明は、コンピュータ、ノートパソコン、タブレットＰＣ、携帯電話など、テキスト或いはポインティング位置関連情報を受信可能なデジタル機器に、テキスト情報或いはポインティング位置情報をユーザから入力してもらい、前記デジタル機器に送信するためのヒューマンインターフェースに関する。
【０００８】
既存のテキスト情報入力機器としては、弾性体とスイッチと連結された複数個の物理ボタンにより構成されたキーボードが広く使用されている。
【０００９】
また、タッチインターフェースが備えられたデジタル機器では、バーチャル（ｖｉｒｔｕａｌ）キーボードをディスプレイ上に表示し、前記ディスプレイ上に表示されたバーチャルキーボードにユーザの体の一部をタッチすれば、ユーザのジェスチャ或いは電気的信号を感知し、ユーザがタッチした部分にディスプレイされたバーチャルキーボード上のテキストを入力する方式も使用されている。
【００１０】
前記タッチインターフェースは、ユーザの体の一部の動きを認識したり、特定の接触面に接触したことを認識したり、ユーザの体を通じて電流の流れを感知したり、光或いは音波などがユーザの体の一部によって遮断或いは干渉されることを感知することなどによって、ユーザのタッチを認識することができる。
【００１１】
タッチインターフェースの一例として、減圧式タッチスクリーン、静電式タッチスクリーン、光学式タッチスクリーン、超音波式タッチスクリーンがある。
【００１２】
抵抗式タッチスクリーン又は減圧式タッチスクリーンは、圧力を認識して動作する方式のタッチスクリーンである。
【００１３】
抵抗式タッチスクリーンは、安価であり、スタイラスペンで筆記したり、小さな升目にも文字を書けることが長所であるが、圧力を利用した方式であるため、むしろ強く押し過ぎると認識できず、静電式タッチ方式よりも多少タッチ感が鈍いということが短所として知られている。
【００１４】
抵抗式タッチスクリーンは、複数の層により構成されている。
【００１５】
かかる複数の層のうち導電層があり、導電層は、２つの層が空気層を挟んで対向している。
【００１６】
外の画面を押せば２つの導電層が互いに接し、それによって抵抗と電流が変わるので、タッチされたことを認識することになる。
【００１７】
静電容量式センシング（ｃａｐａｃｉｔｉｖｅ  ｓｅｎｓｉｎｇ）又は静電式タッチ方式は、静電容量カップリング効果を利用して動作をセンシングする方式である。
【００１８】
静電式タッチスクリーンは、圧力を利用する減圧式タッチスクリーンとは異なり、酸化インジウムスズという導電性の高いガラスによって構成されている。
【００１９】
ガラスの４つの角にセンサが付着されることにより、ガラスの表面には電流が流れる状態となる。
【００２０】
それにより電流の変化を認識することが静電式の原理である。
【００２１】
指を画面に触れた瞬間、ガラスに流れていた電子が指を介して体の中に流れるようになり、このとき変化が起こった位置をセンサが感知して動作する方式である。
【００２２】
静電式タッチ方式は、画面に力を加えて押すのではなく、画面に軽く触れるだけで認識されるため、減圧式タッチスクリーンに比べて操作感とスクロールが滑らかであるという特徴があると知られている。
【００２３】
また、静電式タッチ方式は、複数の箇所をタッチできるマルチタッチが可能である。
【００２４】
静電式タッチ方式は、電流の変化量を利用して操作する方式であるため、電流の通じない皮手袋をはめて使用したり、爪やスタイラスペンでは操作できないこともある。
【００２５】
但し、別途の静電式専用のスタイラスペンを使用すれば画面をタッチすることができる。
【００２６】
センサが敏感であるため、周辺の機器に影響を受けることもあり得る。
【００２７】
光学式タッチスクリーンは、タッチスクリーンの頂点に取り付けられた赤外線カメラと赤外線照明が画面をタッチしようとする物体の影で座標を測定して作動する。
【００２８】
超音波式タッチスクリーンは、スクリーン上に超音波を発散してユーザのタッチによる干渉効果を感知し、座標を測定して作動する。
【００２９】
その他に、ユーザの接触や動きを感知し、ユーザの体の一部の位置情報を認識してポインタの位置情報を制御するのに使用できる様々なタッチ入力技術が本発明で使用され得る。
【００３０】
図１は、ポインティング装置一体型のテキスト入力装置に関する例示図である。
【００３１】
ポインティング装置一体型のテキスト入力装置は、テキスト入力装置と、ポインタ位置情報入力領域を支持するためのハウジング１００とを有し得る。
【００３２】
ハウジングは、ユーザ入力の圧力に耐えられる強度を有しており、テキスト入力情報とポインタ位置情報入力情報を受信し、前記ポインティング装置一体型のテキスト入力装置と有線或いは無線で連結されているデジタル機器に当該情報を送信するための制御部、メモリ部、バッテリ部、エンコード部、送信部などにより構成され得る。
【００３３】
前記ポインティング装置一体型のテキスト入力装置は、ユーザからテキスト入力情報を受信するための複数個のボタン１０９により構成され得る。
【００３４】
前記複数個のボタン１０９は、物理ボタン或いはバーチャルボタンにより構成され得る。
【００３５】
前記物理ボタンは、弾性体と連結されているボタンにより構成されるか、ボタン自体に弾性があって、ユーザの圧力を受ければ位置移動し、ユーザの圧力が除去されれば元の位置に戻る特徴があり得る。
【００３６】
前記物理ボタンは、電気的スイッチと連結されており、ユーザの圧力が加えられてボタンが位置移動し、スイッチの位相が変動することで当該ボタンのテキスト入力値が発生する構造により構成され得る。
【００３７】
前記物理ボタンは、電気的スイッチがなく弾性のある構造であって、ユーザの圧力を受けて位置移動し、ユーザの圧力が除去されれば元の位置に戻る構造となっており、ユーザのテキスト入力情報は、上記したタッチ入力装置によってユーザの圧力或いはジェスチャが認識された位置情報を基にテキスト入力情報を発生することができる。
【００３８】
前記バーチャルボタンは、ディスプレイ装置にテキスト入力ボタンを表示することで構成することができる。
【００３９】
前記バーチャルボタンは、透明或いは半透明或いは不透明な物体に光を投映して任意のボタンを表示することができる。
【００４０】
前記バーチャルボタンは、ユーザの目に認知されるものではなく、テキスト毎に固有の位置情報を有し、ユーザの圧力或いはジェスチャ情報を基に該当するテキスト入力情報を発生することができる。
【００４１】
前記ポインティング装置一体型のテキスト入力装置は、テキスト入力領域１０７と少なくとも一部を共通の領域として有するポインティング位置情報入力領域１０８ａ、１０８ｂを有し得る。
【００４２】
前記ポインティング位置情報入力領域１０８ａ、１０８ｂは、前記テキスト入力のためのボタンの表面或いは上段部或いは下段部に位置した領域であり、図１のように、ポインティング位置情報入力領域は、少なくとも一部をテキスト入力領域と共通で有し得る。
【００４３】
ポインティング位置情報入力領域は、前記テキスト入力領域を含むか、テキスト入力領域がポインティング位置情報入力領域を含み得る。
【００４４】
ポインティング位置情報入力領域とテキスト入力領域とは、少なくとも一部が共通しており、少なくとも一部はポインティング位置情報入力領域として使用されるもののテキスト入力領域としては使用されず、少なくとも一部はテキスト入力領域としては使用されるもののポインティング位置情報入力領域としては使用されないことがあり得る。
【００４５】
ポインティング装置一体型のテキスト入力装置は、テキスト入力のため或いはポインティング位置情報入力のため或いはテキスト入力とポインティング位置情報入力のためのバーチャルテキスト入力領域或いはバーチャルポインティング位置情報入力領域を形成するためのポインタ位置情報入力装置１０５が、前記ポインティング装置一体型のテキスト入力装置上に或いはポインティング装置一体型のテキスト入力装置の外部に構成され得る。
【００４６】
前記ポインタ位置情報入力装置１０５は、赤外線発生器及び赤外線受信機或いはアールジービー（ＲＧＢ）カメラ或いは超音波発生器と超音波受信機或いは赤外線発生器及び赤外線カメラのような前記ハウジング１００の表面或いはハウジング１００の上空においてユーザの体の一部を感知することで位置情報及びジェスチャ情報を入力してもらうことができる。
【００４７】
前記ポインタ位置情報入力装置は、ポインタ位置情報入力領域の拡張或いは正確度及び敏感度を向上させるために、複数個の装置により構成され得る。
【００４８】
例えば、右手のテキスト入力或いはポインティング位置情報入力領域１０８ｂを構成するためのポインタ位置情報入力装置１０５ｂを有し得る。
【００４９】
或いは、左手のテキスト入力或いはポインティング位置情報入力領域１０８ａを構成するためのポインタ位置情報入力装置１０５ａを有し得る。
【００５０】
前記右手のためのテキスト入力領域或いはポインティング位置情報入力領域１０８ｂは、標準英語キーボードのジェイ（Ｊ）ボタンの領域を含むことを特徴とすることができる。
【００５１】
前記左手のためのテキスト入力領域或いはポインティング位置情報入力領域１０８ａは、標準英語キーボードのエフ（Ｆ）ボタンの領域を含むことを特徴とすることができる。
【００５２】
前記ポインタ位置情報入力装置は、標準英語キーボードのジェイ（Ｊ）とエフ（Ｆ）ボタンの領域を全て含むことを特徴とすることができる。
【００５３】
前記ポインティング位置情報入力領域は、前記ポインティング装置一体型のテキスト入力装置がディスプレイ部を有する複数個のデジタル機器と連結されている場合、前記ポインティング位置情報入力領域は、前記複数のディスプレイ部上においてポインタ位置移動が可能であることを特徴とすることができる。
【００５４】
例えば、前記ポインタ位置情報入力領域が各々のディスプレイ部とマッチングされるように領域を分割したり、ディスプレイ部を指示する別途のボタンを操作して当該ディスプレイ部でポインタ位置情報を送信したり、複数のディスプレイ部を仮想の単一ディスプレイ部と認識して、仮想の単一ディスプレイ部上においてポインタが移動可能なようにポインタ位置情報を送信することができる。
【００５５】
ポインティング装置一体型のテキスト入力装置は、ポインティング入力領域を構成し、ユーザからポインタ位置情報を受信するポインティング位置情報入力装置を含み、前記ポインティング位置情報入力装置によって移動されたポインタが位置したボタン或いはイメージ或いは空間或いはアイコン或いはテキスト入力欄上において少なくとも１つの機能を実行するためのポインタ実行命令部１０１、１０２を有し得る。
【００５６】
ポインタ実行命令部は、１つ或いは２つのボタンにより構成され、それぞれ第１機能及び第２機能を担当し、ハウジングの左側或いは右側或いは中央に位置し得る。
【００５７】
前記第１機能は、例えばコンピュータマウスの左クリックのような機能をし、第２機能は、例えばコンピュータマウスの右クリックのような機能をすることができる。
【００５８】
前記１つ或いは２つのボタンにより構成されたポインタ実行命令部は、前記ハウジングの左側と右側の両方に構成されることで、左利きと右利きの誰もが使い易いように構成され得る。
【００５９】
前記ポインタ実行命令部は、上述したタッチ技術を用いたユーザの体の一部のタッチ或いは光の遮断或いは超音波の干渉或いはユーザの体の一部の影を認識することによって動作するように構成することができる。
【００６０】
前記ポインタ実行命令部は、弾性のある物理ボタンにより構成され得る。
【００６１】
前記ポインタ実行命令部は、ポインティング位置情報入力領域の他にテキスト入力領域内に位置したテキストボタンの少なくとも１つのボタンを使用して動作することができる。
【００６２】
前記ポインタ実行命令部は、ポインティング位置情報入力領域上の物理或いはバーチャルテキストボタンを選択することによって動作することができる。
【００６３】
例えば、ポインティング位置情報入力装置としてバーチャル入力装置を使用し、テキスト入力装置として物理ボタンを使用する場合、ポインティング位置情報入力モードでバーチャルポインティング位置情報入力領域上においてポインタの位置情報を入力し、当該位置に位置した物理テキストボタンを押すことによってポインタ実行命令を発生することができる。
【００６４】
前記ポインタ実行命令部は、ポインティング位置情報入力領域内でユーザの第１ジェスチャによりポインタ位置情報を入力してもらい、同じ位置でユーザの第２ジェスチャによりポインタ実行命令を発生することができる。
【００６５】
前記ポインタ実行命令部は、ユーザの体の第１ジェスチャ或いは第１音声、第１瞬き、第１口の動きなどによって第１機能が実行されるように構成することができる。
【００６６】
前記ポインタ実行命令部は、ユーザの体の第２ジェスチャ或いは第２音声、第２瞬き、第２口の動きなどによって第２機能が実行されるように構成することができる。
【００６７】
ポインティング装置一体型のテキスト入力装置は、前記テキスト入力装置を介してテキスト情報を入力してもらうテキスト入力モードと、前記ポインティング位置情報入力装置を介してポインティング位置情報を入力してもらうポインティング位置情報入力モードとにより構成され得る。
【００６８】
前記テキスト入力モードとポインティング位置情報入力モードとは、モード切替部１０３によって切り替えられることができる。
【００６９】
前記モード切替部１０３は、前記ハウジング上に別に位置したスイッチにより構成され得る。
【００７０】
前記モード切替部１０３は、テキスト入力装置に含まれた少なくとも１つのテキスト入力ボタン或いは複数個のテキスト入力が同時に受信されることを感知し、モード切り替えを行うことができる。
【００７１】
前記モード切替部１０３は、前記ポインティング装置一体型のテキスト入力装置と有線或いは無線で連結されたデジタル機器から制御情報を受信し、モード切り替えを行うことができる。
【００７２】
前記モード切替部１０３は、前記ポインタ実行命令部１０２と一体型で構成され得る。
【００７３】
例えば、第１タッチや第１圧力に１次反応し、第２タッチや第２圧力に２次反応するポインタ実行命令部１０２上において、ユーザの体の一部の接触のような第１ジェスチャにより第１タッチや第１圧力を感知してモードを切り替え、ボタンを押すような第２ジェスチャにより第２タッチや第２圧力に反応してポインタ実行命令を発生するように構成する。
【００７４】
前記モード切替部１０３は、臨時モード切替モードと永久モード切替モードとにより構成され得る。
【００７５】
例えば、第１タッチや第１圧力に反応してテキスト入力モードからポインティング位置情報入力モードに切り替え、第１タッチや第１圧力が除去されればテキスト入力モードに戻ることを臨時切替モードとして設定することができる。
【００７６】
或いは、第１タッチや第１圧力に反応してポインティング位置情報入力モードからテキスト入力モードに切り替え、第１タッチや第１圧力が除去されればポインティング位置情報入力モードに戻ることを臨時切替モードとして設定することができる。
【００７７】
第２タッチや第２圧力や押しスイッチに反応してテキスト入力モードからポインティング位置情報入力モードに切り替え、第２タッチや第２圧力が除去されてもポインティング位置情報入力モードを維持するように永久切替モードを構成することができる。
【００７８】
ポインティング装置一体型のテキスト入力装置と有線或いは無線で連結されたデジタル機器から受信した第１制御情報によって臨時のモード切り替えをすることができる。
【００７９】
ポインティング装置一体型のテキスト入力装置と有線或いは無線で連結されたデジタル機器から受信した第２制御情報によって永久のモード切り替えをすることができる。
【００８０】
前記モード切替部１０３は、前記ポインタ実行命令部と一体型で構成することができる。
【００８１】
例えば、前記ポインタ実行命令部上に第１タッチ或いは第１圧力が感知されれば、テキスト入力モードからポインタ位置情報入力モードに臨時のモード切り替えを行い、第２タッチ或いは第２圧力が感知されれば、ポインタ実行命令を発生し、第３タッチ或いは第３圧力が加えられれば、第３タッチ或いは第３圧力が除去されてもポインタ位置情報入力モードで動作する永久切替モードとして設定することができる。
【００８２】
このとき、永久切替モード中でもポインタ実行命令入力が可能なように構成することができる。
【００８３】
前記モード切替部は、前記ハウジングの左側或いは右側の側面に構成され得る（１０６ａ、１０６ｂ）。
【００８４】
前記ハウジングの左側或いは右側或いは左側と右側に構成されたモード切替部１０６ａ、１０６ｂは、バーチャルボタン或いは物理ボタンにより構成され、ユーザのタッチ入力や圧力を感知して動作するように構成することができる。
【００８５】
前記ハウジングの左側或いは右側或いは左側と右側に構成されたモード切替部１０６ａ、１０６ｂは、ハウジング側面に沿って３センチメートル以上１５センチメートル未満の入力領域を有するように構成することができる。
【００８６】
ポインティング装置一体型のテキスト入力装置は、外部或いはポインティング装置一体型のテキスト入力装置を含んでいるデジタル機器でデータを有線或いは無線で送信する送信部１０４を有し得る。
【００８７】
前記デジタル機器は、テキスト入力を受信したり、ポインタ位置情報を受信することができる。
【００８８】
図２は、ポインティング装置とテキスト装置とのモード切り替えに係る動作手順の一例を説明するフローチャートである。
【００８９】
ポインティング装置一体型のテキスト入力装置は、別途の電源部を有するか、有線或いは無線で外部から電源を供給してもらい、前記電源部を制御するスイッチを別に有し得る。
【００９０】
前記電源部を制御するスイッチによってポインティング装置一体型のテキスト入力装置に電源を供給すると、ポインティング装置一体型のテキスト入力装置が現在テキスト入力モードであるか、ポインティング位置情報入力モードであるかを判断する（２００）。
【００９１】
前記判断の結果、テキスト入力モードである場合、テキスト入力装置を活性化し、ユーザからテキスト入力を受信する（２０１）。
【００９２】
入力されたユーザのテキスト入力を有線或いは無線で連結されたデジタル機器に送信する（２０２）。
【００９３】
テキスト入力モード中にポインティング位置情報入力モードへのモード切り替えが起これば、前記テキスト入力モードをポインティング位置情報入力モードに切り替えることができる。
【００９４】
或いは、テキストの入力と同時にポインティング位置情報の入力が可能なように構成することができる。
【００９５】
ポインティング位置情報入力モードへとモードが切り替えられると、ユーザの入力によりポインティング位置情報を入力してもらう（２０４）。
【００９６】
前記入力を受けたポインタ位置情報は、有線或いは無線で連結されたデジタル機器に送信する（２０５）。
【００９７】
ポインティング装置一体型のテキスト入力装置がポインタ第１実行命令を受信（２０６）すると、有線或いは無線で連結されたデジタル機器にポインタ第１実行命令を送信する（２０７）。
【００９８】
ポインティング装置一体型のテキスト入力装置がポインタ第２実行命令を受信（２０８）すると、有線或いは無線で連結されたデジタル機器にポインタ第2実行命令を送信する（２０９）。
【００９９】
臨時のモード切り替えが解除されたり、永久のモード切り替えが解除されると、前記ポインティング装置一体型のテキスト入力装置は、テキスト入力モードに切り替えることができる。
【０１００】
前記電源部の電源スイッチにポインティング装置一体型のテキスト入力装置の電源が遮断されたり、連結されたデジタル機器がなかったり、連結が切れた場合或いは所定時間ユーザの入力がない場合或いは有線或いは無線で連結されたデジタル機器の制御によって終了することができる。
【０１０１】
図３は、テキスト入力装置とポインティング装置の構成に関する実施例である。
【０１０２】
ポインティング装置一体型のテキスト入力装置は、電源部或いは制御部或いは通信部などが含まれた第１ハウジング３０１と、テキスト入力領域とポインティング位置情報入力領域を構成するための第２ハウシング３０２とにより構成され得る。
【０１０３】
ポインティング装置一体型のテキスト入力装置は、ユーザからテキストの入力を受信するテキスト入力装置とテキスト入力領域３０３とを有し得る。
【０１０４】
ここで、テキスト入力領域３０３は、バーチャルボタン或いは物理ボタンにより構成され得る。
【０１０５】
ポインティング位置情報入力装置が減圧式或いは静電容量式タッチパッド形式で構成され、テキスト入力装置の物理ボタンの上に位置し得る（３０４）。
【０１０６】
ここで、テキスト入力装置が減圧式或いは静電容量式のような物理的なタッチパッド形式で構成されている場合、タッチパッドをテキスト入力装置とポインティング位置情報入力装置として使用することができ、モード切替部によりモードを切り替えて使用することができる。
【０１０７】
このとき、減圧式或いは静電容量式のような物理的なタッチパッドを、テキスト入力部の複数個のテキストボタン領域を含むタッチパッド３０４により構成された大面積タッチパッド型のポインティング装置一体型のテキスト入力装置３００として構成することができる。
【０１０８】
或いは、減圧式或いは静電容量式のような物理的なタッチパッドを、テキスト入力部の１つのテキストボタン領域を含む複数個のタッチパッド３１１で構成された複数タッチパッド型のポインティング装置一体型のテキスト入力装置３１０として構成することができる。
【０１０９】
或いは、ポインティング位置情報の入力を、ポインティング位置情報入力領域の上段部に位置した赤外線カメラ或いはアールジービー（ＲＧＢ）カメラ２２２によって受信（３２１）する上段カメラ型のポインティング装置一体型のテキスト入力装置３２０として構成することができる。
【０１１０】
このとき、上段カメラ型のポインティング装置一体型のテキスト入力装置３２０は、上段カメラを使用してバーチャルテキスト入力ボタン３０３を構成することができる。
【０１１１】
前記カメラを第２ハウジングの下段に位置させ、ポインティング位置情報入力を受信（３３１）するように構成された下段カメラ３３２型のポインティング装置一体型のテキスト入力装置３３０として構成することができる。
【０１１２】
このとき、下段カメラ型のポインティング装置一体型のテキスト入力装置３３０は、下段カメラを使用して物理テキストボタンに取り替えるバーチャルテキスト入力ボタン３０３を構成することができる。
【０１１３】
或いは、ポインティング位置情報の入力を、赤外線送信機或いは超音波送信機によって送信された赤外線或いは超音波がユーザの体の一部によって遮断或いは干渉された情報を受信する赤外線受信機或いは超音波受信機の対からなるバーチャルポインティング位置情報入力領域３４１を介して受信する送受信型のポインティング装置一体型のテキスト入力装置３４０として構成することができる。
【０１１４】
このとき、対からなるバーチャルポインティング位置情報入力領域は、モード切替部により物理テキストボタンに代えてバーチャルテキストボタン入力手段として使用され得る。
【０１１５】
図４は、ポインタ実行命令部一体型のモード切替部の実施例である。
【０１１６】
ユーザの圧力によって位置移動し、圧力が除去されれば元の位置に戻るようにする弾性体４０３と、ユーザの圧力を伝達してもらうボタン４０２と、ユーザの圧力によって位置移動し、接合すればポインタ実行命令を生じさせるスイッチ４０４、４０５とを有するボタン型ポインタ実行命令部において、ボタンの上段部におけるユーザのタッチ入力を感知してテキストモードとポインティング位置情報入力モードとを切り替えるモード切替部４０１が位置した、タッチ入力を使用したポインタ実行命令部一体型のモード切替部４００を構成することができる。
【０１１７】
ユーザの圧力によって位置移動し、圧力が除去されれば元の位置に戻るようにする弾性体４０３と、ユーザの圧力を伝達してもらうボタン４０２と、ユーザの第１圧力によって位置移動し、接合すればポインタ実行命令を生じさせる第１スイッチ４０４、４０５とを有するボタン型ポインタ実行命令部において、ユーザの第１圧力よりも小さいユーザの第２圧力によって接合され、モード切り替え実行命令を生じさせる第２スイッチ部４１１、４１２により構成された、圧力区別式ポインタ実行命令部一体型のモード切替部４１０として構成することができる。
【０１１８】
圧力区別式ポインタ実行命令部一体型のモード切替部４１０において、前記ボタン部４０２を位置移動し、弾性体４０３によって元の位置に戻れないように固定することができる。
【０１１９】
このとき、ボタンが固定される位置を、第２スイッチ４１１、４１２が接合されて第１スイッチ４０４、４０５は接合されない位置に設定し、ボタンが固定されれば、永久モード切替モードとして動作されるように構成することができる。
【０１２０】
タッチ入力を使用したポインタ実行命令部一体型のモード切替部４１０においては、ボタン部をスライドするなどの位置移動を通じて永久モード切替スイッチ４１４を動作させるように構成し、永久モード切替スイッチ４１４が動作している状態で追加の圧力が加えられれば、ポインタ実行命令スイッチ４０４、４０５が動作するように構成することができる。
【０１２１】
ポインタ実行命令部一体型のモード切替部４２０は、タッチパッド４２１により構成され、タッチパッドに接触したユーザの体の一部の接触面積が第１所定範囲の場合はモード切替部として作動し、第２所定範囲の場合はポインタ実行命令部として作動することができる。
【０１２２】
図５は、ポインタ位置情報入力領域を表示する実施例である。
【０１２３】
本発明のヒューマンインターフェース装置は、ポインタ位置情報入力モードの際、前記ポインタ位置情報入力領域を視覚的に表示するポインタ位置情報入力領域表示部７０１、７０２をさらに含むように設計することができる。
【０１２４】
本発明のモード切替部は、前記テキスト入力部のボタンとは別に備えられ、前記ヒューマンインターフェースの本体の一部にユーザの体の一部がタッチされたことを認識して前記テキスト入力モードと前記ポインタ位置情報入力モードとに切り替え、タッチ時はポインタ位置情報入力モードで動作し、非タッチ時はテキスト入力モードで動作するように設計することができる。
【０１２５】
ここで、前記モード切り替えのために使用される体の一部が右手である場合（１０６ｂ）、前記ポインタ位置情報を入力（１０８ａ）する手は左手になるように設計することができる。
【０１２６】
このときは、前記ポインタ位置情報入力領域が前記モード切替部の位置した角の向こうの角により近いように設計することが好ましく、左手と右手とを逆に使用する場合も同じ原理で設計することができる（１０６ａ、１０８ｂ）。
【０１２７】
それに対し、前記モード切り替えのために使用される体の一部が右手で、前記ポインタ位置情報を入力する手も右手になるように設計することができる。
【０１２８】
このときは、前記ポインタ位置情報入力領域が前記モード切替部の位置した角の向こうの角よりも前記モード切替部の位置した角により近いように設計することが好ましく、左手の場合も同じ原理で設計することができる。
【０１２９】
前記モード切替部は、前記ポインタ位置情報入力部が認識したユーザの指の数に応じて前記テキスト入力モードと前記ポインタ位置情報入力モードとを判断することができる。
【０１３０】
前記ポインタ位置情報入力モードで判断する際の前記認識されたユーザの指の数は、前記テキスト入力モードで判断する際の前記認識されたユーザの指の数よりも少ない。
【０１３１】
例えば、左手でモード切替部を制御する間、左手の指はテキスト入力ボタンにタッチされておらず、右手の人差し指はポインタ位置情報を入力するためにタッチされており、このとき、前記認識されたユーザの指の数は１つである。
【０１３２】
それに対し、テキストを入力するために左手と右手の指をキーボードの上にタッチすれば、２つから８つ以下の前記認識されたユーザの指の数が認識されるようになる。
【０１３３】
前記ポインタ位置情報入力モード表示部は、前記モード切替部によって前記ポインタ位置情報入力モードに切り替えられる際に一時的に表示するか、前記ポインタ位置情報入力モードに切り替えられた時点から解除される時点まで前記ポインタ位置情報入力領域を視覚的に表示することができる。
【０１３４】
前記ポインタ位置情報入力モード表示部は、可視光線発生器によって前記テキスト入力ボタンから或いはテキスト入力ボタンによる反射光で或いは前記テキスト入力ボタン間の間隔を通じて表示することができる。
【０１３５】
前記ポインタ位置情報入力モード表示部は、非可視光線発生器７０１ａ、７０１ｂと、前記非可視光線に光学的に反応して可視光線を発散する染料が塗布された面７０２ａ、７０２ｂとにより構成され、前記染料は、前記テキスト入力ボタン或いは前記テキスト入力ボタン間の間隔に塗布することができる。
【０１３６】
前記モード切替部は、ユーザが前記ポインタ位置情報の入力を左手で行うか、或いは右手で行うかを判断するハンドサイド判断部をさらに含み得る。
【０１３７】
前記ハンドサイド判断部により、前記ポインタ位置情報入力表示部の表示領域を流動的に表示することができる。
【０１３８】
前記ハンドサイド判断部により、前記ポインタ実行命令部のボタンの配置及び動作を流動的に切り替えることができる。
【０１３９】
例えば、ポインタ実行命令部がマウスの右クリックと左クリックを含む場合、前記ハンドサイド判断部の判断に従ってマウスの右クリックと左クリックを行うボタンを切り替えることができる。
【０１４０】
前記ポインタ位置情報入力領域表示部は、前記ハンドサイド判断部の判断結果に従って異なるポインタ位置情報入力領域を表示（７０２ａ、７０２ｂ）することができる。
【０１４１】
前記モード切替部は、前記ポインタ位置情報入力モードの際、ユーザからポインタ位置情報の入力が所定時間入力されない場合、或いはテキスト入力ボタンで入力が受信される場合、自動で前記テキスト入力モードに切り替えるように設計することができる。
【０１４２】
前記ポインタ位置情報入力領域表示部は、前記モード切替部のモードとは関係なく視覚的に表示されるよう、前記テキスト入力ボタン或いは前記テキスト入力領域の一部に染料を塗布することで、テキスト入力モード中でもポインタ入力領域を認識できるようにすることができる。
【０１４３】
図６は、ポインタ実行命令部一体型のモード切替部に関する実施例である。
【０１４４】
テキスト入力モードとポインタ位置情報入力モードとの頻繁な切り替えが行われる入力作業をしていると、モード切り替え及びポインタ実行命令を入力する回数が多くなる。
【０１４５】
例えば、右利きの場合、テキスト入力モードでのテキスト入力中にポインタ位置情報を入力したい際は、左手或いは右手でモード切り替えをした後、ポインタ位置情報を入力してから左手でポインタ実名命令部に入力しなければならない。
【０１４６】
一般的に、急ぎの作業中にユーザはモニタに視線を維持したままテキスト及びポインタ位置情報並びにポインタ実行命令を入力することになるが、モード切替部及びポインタ実行命令入力部が別に備えられた場合、手の動きが頻繁に生じるようになり、正確な位置を探すことができず、機能を適切に実行できないか、キーボードを目で見るなど、作業が煩わしくなる。
【０１４７】
それを解決するために、例えば右利きの場合、テキスト入力モードでテキストを入力した後、左手をモード切替部に乗せればモード切り替え命令が発生し、ポインタ入力モードに変更される。そして、モード切替部に手を乗せた状態で右手でポインタ位置情報を入力した後、モード切替部に圧力を加えれば、ポインタ実行命令部がユーザの入力を受信する。
【０１４８】
これにより、ユーザは、モード切り替えのためのモード切替部の位置とポインタ実行命令のためのポインタ実行命令部の位置とを共有することができる。
【０１４９】
そのための一実施例として、モード切替部は、ユーザの手のタッチ入力を受けつけることのできるタッチスイッチで構成し、ポインタ実行命令部は、タクトスイッチのような圧力に反応するスイッチで構成し、モード切替部の下に位置する。
【０１５０】
ここで、第１ポインタ実行命令部１１０４と第２ポインタ実行命令部１１０５とは、ユーザの手からタッチを認識できる導電体物質で互いに連結されているか、モード切替部１２０１で共通して連結されており、ユーザが第１ポインタ実行命令部にタッチしても第２ポインタ実行命令部にタッチしても同様にモード切り替えが行われるように構成する。
【０１５１】
このとき、モード切り替えは、タッチが行われている間はポインタ位置情報入力モードで動作し、タッチが解除された場合はテキスト入力モードで動作する。
【０１５２】
タッチによるモード切り替えは、タッチの他に、ポインタ実行命令のための圧力よりも小さい圧力で動作する他のスイッチ或いはユーザの指の位置をセンシングできるセンサにより構成することができる。
【０１５３】
このとき、モード切り替え及びポインタ実行命令部は、テキスト入力領域とは区別される領域に位置する。好ましくは、右利きの場合、テキスト入力領域の左外側領域に位置する。テキスト入力領域の外部にモード切替部及びポインタ実行命令部を位置させれば、ポインタ位置情報入力部がポインタ位置情報入力と混同する可能性がなくなり、ポインタ位置情報入力領域を確張できるようになる。
【０１５４】
本発明の複合ヒューマンインターフェース装置は、第２モード切替部１２０２を備えることができる。第２モード切替部は、トグルスイッチのように動作するスイッチであり、ユーザから入力が受信される度にテキスト入力モードとポインタ位置情報入力モードとに切り替えられる。これにより、ユーザが左手をモード切替部にタッチしていなくても右手のみでポインタ位置情報の入力が可能になる。
【０１５５】
ここで、第２モード切替部によって複合ヒューマンインターフェース装置がテキストモード中にタッチによるモード切り替え命令を受信した場合、本発明の複合ヒューマンインターフェース装置は、ポインタ位置情報入力モードで動作する。また、第２モード切替部によって複合ヒューマンインターフェース装置がポインタ位置情報入力モード中にタッチによるモード切り替え命令を受信した場合、ポインタ位置情報入力モードを維持するが、タッチによるモード切り替え命令が解除されるか、テキスト入力部にテキストの入力が受信されれば、テキスト入力モードに切り替えられる。
【０１５６】
このとき、テキストの入力によりテキスト入力モードに切り替えられる場合、少なくとも１つ目のテキストの入力は無視し、少なくとも２つ以上のテキストの入力を受信した場合にテキスト入力モードに切り替える。
【０１５７】
このとき、少なくとも２つ以上のテキストの入力を受信してテキスト入力モードに切り替えられた場合、複合ヒューマンインターフェース装置は、前記無視した少なくとも１つ目のテキストを含むテキスト入力をデジタル機器に送信した後、新たに入力されるテキスト入力情報をデジタル機器に送信する。
【０１５８】
図７は、複合ヒューマンインターフェース装置のカバーを活用した実施例である。
【０１５９】
複合ヒューマンインターフェース装置は、ポインタ位置情報入力装置がポインタ位置情報入力領域を形成するために物理的装置で構成されたテキスト入力装置の平面上段に少なくとも１ミリメートルから２ミリメートルの空間が必要であり、光学信号を吸収したり反射するための吸収体或いは反射体を位置させるための枠がテキスト入力領域を囲んで少なくとも３面の角に必要である。
【０１６０】
このとき、少なくとも３面の角の枠の高さとテキスト入力領域の平面の高さとの間には少なくとも１から２ミリメートルの差が生じ、実質的に直方体タイプの空間が形成される。
【０１６１】
本発明の複合ヒューマンインターフェース装置は、前記実質的に直方体タイプの空間にテキスト入力領域を外部の衝撃から保護するための多用途カバー１３２２をさらに備えることができる（１３１０）。
【０１６２】
前記多用途カバー１３２２は、前記複合ヒューマンインターフェース装置と分離され（１３２０）、磁石或いは物理的構造によって結合及び分離が可能である。
【０１６３】
前記多用途カバー１３２２は、数回にわたって折り畳まれる構造であり得る。好ましくは２回折り畳まれる構造であり、多用途カバーの分割される領域の少なくとも一領域の幅は他の領域の幅よりも小さくても良い（１３４１）。
【０１６４】
これは、多用途カバーが折り畳まれた後、複合ヒューマンインターフェース装置の傾斜を調整するために下部に取り付けられた場合、複合ヒューマンインターフェース装置の傾斜をより小さくすることができる。
【０１６５】
多用途カバーが折り畳まれた後、複合ヒューマンインターフェース装置の下面に取り付けられた場合、折り畳まれた面のうち地面と当接する一部分は、地面と当接する面積が広くなるように傾斜面１３４２を備えることができる。
【０１６６】
前記多用途カバー１３２２の折り畳み回数にてユーザが所望する複合ヒューマンインターフェース装置の傾斜を調整することができる。
【０１６７】
前記多用途カバーは、カバーの内部に充電バッテリ１３２３を内蔵することができる。
【０１６８】
前記充電バッテリ１３２３の電源は、前記多用途カバーの下段部のテキスト入力領域を覆う部分の枠を覆う前記テキスト入力領域を覆う部分よりも突出した領域の一部に電極が位置しても良く（１３３１）、前記多用途カバーがテキスト入力装置を覆っている場合（１３１０）、前記複合ヒューマンインターフェース装置の上段に備えられた電極と連結されることになる。
【０１６９】
また、多用途カバーが折り畳まれ、複合ヒューマンインターフェース装置の傾斜を調整するために下段部に取り付けられた場合は、前記複合ヒューマンインターフェース装置の下面に備えられた電極と連結され得る。
【０１７０】
前記複合ヒューマンインターフェース装置は、外部電源と連結され、前記多用途カバーの内部の充電バッテリ１３２３に電源を供給したり、多用途カバーを別に充電することができる。
【０１７１】
このとき、前記複合ヒューマンインターフェース装置の下面は、電極１３３１が位置した前記突出した枠領域と、これとは異なる高さのテキスト入力領域を覆う領域１３３２と、正確な位置で着脱可能なように磁石或いは物理的な結合装置或いはカバーが挿入される溝を備えることができる。
【０１７２】
前記多用途カバーの枠は、微細なほこりや油汚れ、水分などを除去できる物質で塗布されており、複合ヒューマンインターフェース装置に着脱される度に吸収板或いは反射板や光学エミッタ、カメラ前面部の異物を除去することができる。
【０１７３】
前記多用途カバーがテキスト入力領域を覆っている場合、これをディテクトして複合ヒューマンインターフェース装置の電源をオフすることができる。
【０１７４】
前記多用途カバーが複合ヒューマンインターフェース装置の下面に取り付けられた場合、複合ヒューマンインターフェース装置の電源をオンにすることができる。
【０１７５】
また、電源がオンになってから所定時間ユーザの入力がない場合、電源を遮断するか、待機モードに切り替えることができる。
【０１７６】
多用途カバーがテキスト入力領域を覆っている場合（１３１０）、複合ヒューマンインターフェース装置１３２１は、実質的に薄い板状の直方体の形を有しており、地面に置いた場合に傾斜を持たないように設計することで美的効果を極大化し、携帯性を高めることができる。
【０１７７】
一方、多用途カバーを折り畳んで複合ヒューマンインターフェース装置の下面に取り付けた場合、一般的なキーボードのように傾斜を確保することができる。
【０１７８】
前記多用途カバーは着脱式で構成され得るが、ヒンジによって複合ヒューマンインターフェース装置の上面から下面に捲られて折り畳まれる方式に設計することができる。
【０１７９】
図８は、携帯用ノートパソコンに適用されたヒューマンインターフェース装置の実施例である。
【０１８０】
本発明のヒューマンインターフェース装置１４２０は、携帯用ノートパソコンの入力装置として活用することができる。
【０１８１】
本発明のヒューマンインターフェース装置を備えた携帯用ノートパソコンは、ディスプレイパネル１４１１と、前記ディスプレイパネルを支持しているフレーム１４１０とにより構成されたディスプレイユニットが、本発明のヒューマンインターフェース装置とヒンジ１４２７によって結束され、開閉可能な構造に設計することができる。
【０１８２】
ここで、前記ディスプレイユニットは、本発明のヒューマンインターフェース装置の反射板或いは吸収板１４２４によって形成された壁の内側に挿入する。そうすると、本発明のヒューマンインターフェース装置を利用した携帯用ノートパソコンの厚さを最小化することができる。
【０１８３】
そのために、前記携帯用ノートパソコンのディスプレイユニットは、本発明のヒューマンインターフェース装置１４２０の幅よりも少なくとも反射板或いは吸収板１４２３、１４２４の厚さの２倍分幅の長さを小さく設計しなければならない。
【０１８４】
言い換えれば、図１３において多用途カバーが入る所にディスプレイユニットが入るように設計されなければならない。
【０１８５】
ディスプレイユニットは、両角がラウンド処理或いは斜線カッティングされるという特徴（１４１３）がある。
【０１８６】
ポインタ位置情報入力装置１４２１、１４２２は、ディスプレイユニットを閉じた場合、前記ラウンド処理或いは斜線カッティングされた部分の外角側に位置するという特徴がある。
【０１８７】
これは、携帯用ノートパソコンを閉じた場合、ポインタ位置情報入力装置１４２１、１４２２により邪魔されず、薄い厚さを維持できるように閉じるためである。
【０１８８】
このとき、モード切替部及びポインタ実行命令部は、ヒューマンインターフェース装置の側面の外側に位置し得る。
【０１８９】
それだけでなく、より好ましくは、テキスト入力領域の外下側に位置し得る（１４２５、１４２６）。
【０１９０】
このとき、モード切替部及びポインタ実行命令部は、図１２のように一体型で構成することが好ましいが、別に分離して位置することも可能である。
【０１９１】
ここで、モード切替部或いはポインタ実行命令部がテキスト入力領域の外下側に位置する場合、ユーザがモード切替部或いはポインタ実行命令部を制御するために指を位置させた場合、ポインタ位置情報入力装置１４２１、１４２２がユーザがポインタの位置情報を入力することに誤動作しないよう、ポインタ位置情報入力領域を前記モード切替部或いはポインタ実行命令部が位置した領域を除いて設定しなければならない。
【０１９２】
そのために、ポインタ位置情報入力装置から発生する光学信号がカバーする領域を調整し、前記モード切替部或いはポインタ実行命令部に光学信号が到逹しないように設計することができる。
【０１９３】
或いは、前記モード切替部或いはポインタ実行命令部に位置したユーザの指と光学信号との間の反射或いは干渉或いは遮断によって発生する光学信号をカメラが受信できないよう、カメラの光学信号受信角を調整したり、当該方向から受信される光学信号を無視するようにすることができる。
【０１９４】
前記携帯用ノートパソコンは、前記ポインタ位置情報入力装置から発生する光源を吸収或いは反射するための吸収板或いは反射板を少なくとも３つの角部分に有するように設計する。
【０１９５】
このとき、２つの面はヒューマンインターフェース装置の側面に位置し（１４２３、１４２４）、もう１つの面は、ディスプレイユニットがヒューマンインターフェース装置と当接した面において、ディスプレイユニットが所定角内で開いている場合、前記ポインタ位置情報入力装置１４２１、１４２２によって発生する光源が充分に反射或いは吸収されるよう、反射体或いは吸収体を所定領域１４１２に位置させる。
【０１９６】
図９は、下段位置型のポインタ位置情報入力装置と下段位置型のポインタ実行命令部を適用した実施例である。
【０１９７】
ヒューマンインターフェース装置は、複数個の物理ボタンにより構成されたテキスト入力部１５０１と、ポインタ位置と係わる情報をユーザから入力してもらうポインタ位置情報入力部と、ポインタが位置した所で少なくとも１つの機能を行うようにユーザの命令を入力してもらうポインタ実行命令部１５０５、１５０６の信号を受信するポインタ実行命令受信部と、ポインタ位置情報入力モードに切り替えるモード切替部の信号を受信するモード切替命令受信部と、前記ポインタ位置情報入力部に入力されたポインタ位置と係わる情報を前記ヒューマンインターフェース装置と有線或いは無線で連結されたデジタル機器に送信するポインタ位置情報送信部とを有し、前記ポインタ位置情報入力部のポインタ位置情報入力領域は、前記複数個の物理ボタンにより構成されたテキスト入力部のテキスト入力領域の少なくとも一部の上段に平行に位置し、前記ポインタ位置情報入力部は、前記テキスト入力部を囲む第１から第３面１５０２ａ、１５０２ｂ、１５０２ｃに前記テキスト入力部の高さよりも高く形成された光学信号反射体或いは吸収体１５０３ａ、１５０３ｂ、１５０３ｃを含んでおり、前記テキスト入力部を囲む第４面１５０２ｄは、前記第１から第３面の高さよりも低く形成されており、前記第４面は、前記ポインタ実行命令部１５０５、１５０６を含み得る。前記第１面と前記第３面とはそれぞれ前記テキスト入力部の左側と右側に位置し、前記第２面は前記テキスト入力部の上側に位置し、前記第４面は前記テキスト入力部の下側に位置し得る。
【０１９８】
前記ポインタ位置情報入力部は、少なくとも２つのセンサモジュールを含み、前記２つのセンサモジュールは、それぞれ前記テキスト入力部の左側下段と右側下段の角領域に位置し得る。
【０１９９】
前記モード切替部は、第１ボタンに入力されるユーザの第１入力によって動作し、前記ポインタ実行命令受信部は、前記第１ボタンに入力されるユーザの第２入力によって動作することができる。
【０２００】
前記第１ボタンは、指タッチによって発生する電気的信号を感知できる材質により構成され、前記第１入力は、前記電気的信号を認識して発生することができる。
【０２０１】
前記第１入力が維持される間、前記ポインタ位置情報入力モードで動作し、前記第１入力が解除されれば、前記ポインタ位置情報入力モードを解除し、前記第１入力は、物理的圧力によって発生することができる。
【０２０２】
前記モード切替部は、第２ボタンに入力されるユーザの第２入力によって動作し、前記第２入力が１回入力されると、前記ポインタ位置情報入力モードが解除されている場合は活性化し、前記ポインタ位置情報入力モードが活性化している場合は解除することができる。
【０２０３】
このとき、前記ポインタ位置情報入力装置１４２１、１４２２によって発生する光源及びイメージ受信装置は、キーボードの中央部に向かっていることが好ましい。
【０２０４】
しかし、キーボードが小型であるか、より広い領域のポインタ位置情報入力領域を確保するために、前記ヒューマンインターフェース装置の側面に位置した前記吸収板或いは反射板１４２３、１４２４をを、吸収板ではなく反射板を使用し、前記ポインタ位置情報入力装置１４２１、１４２２の光源及びイメージ受信装置を前記反射板１４２３、１４２４の方に向けて設けることができる。
【０２０５】
即ち、ポインタ位置情報入力装置１４２１は、前記反射板１４２３によって反射され、受信されたポインタ位置情報を受信することができる。
【０２０６】
また、ポインタ位置情報入力装置１４２２は、前記反射板１４２４によって反射され、受信されたポインタ位置情報を受信することができる。
【０２０７】
そうすると、前記ポインタ位置情報入力装置１４２１、１４２２の設置位置を実際の複合ヒューマンインターフェース装置の左、右側の外部に位置した効果が得られ、より広いマウスポインタ位置情報入力領域を取得することができる。
【０２０８】
このとき、反射板の角度を１度から１５度に所定角開くように設けることができる。即ち、反射板１４２３、１４２４の上段よりも下段の方が開くようにすることができる。
【０２０９】
そうすると、前記ポインタ位置情報入力装置１４２１、１４２２の設置位置を実際の複合ヒューマンインターフェース装置の左、右側の外部に位置した効果が得られると同時に、キーボードの下段部に位置したポインタ実行命令入力装置により邪魔されないよう、所定距離上段に移動した効果を得ることができる。
【０２１０】
前記複合ヒューマンインターフェース機器は、前記ポインタ位置情報入力部から発生した光源を反射する反射部を含み、前記ポインタ位置情報入力部は、少なくとも２つが前記ヒューマンインターフェース機器の左側と右側にそれぞれ設けられ、前記反射部は、前記ヒューマンインターフェース機器の左側と右側にそれぞれ設けられ、前記左側のポインタ位置情報入力部は、前記左側の反射部に向かって設けられ、前記左側の反射部を介して入力される光源を受信し、前記右側のポインタ位置情報入力部は、前記右側の反射部に向かって設けられ、前記右側の反射部を介して入力される光源を受信することができる。
【０２１１】
前記左側と右側の反射部は平行ではなく、前記左側と右側のポインタ位置情報入力部が位置した部分に向かって開くように設けられ得る。
【０２１２】
前記ポインタ位置情報入力領域は、第１領域と第２領域とに分けられ得る。即ち、例えば、右手から入力されるポインタ位置情報入力信号は第１領域から受信され、左手から入力されるポインタ位置情報入力信号は第２領域から受信されるようにする。
【０２１３】
一般的に、マルチタッチ制御は、複数のタッチ入力信号を受信した後、前記複数のタッチ入力信号のその後の移動様態に応じて制御命令を判断する。
【０２１４】
ところが、本実施例において、前記第１ポインタ位置情報入力領域から受信される第１ポインタ位置情報入力信号は、タッチ入力の数を把握するのに使用され得る。
【０２１５】
そして、前記第２ポインタ位置情報入力領域から受信される第２ポインタ位置情報入力信号は、タッチ入力の移動信号を受信するのに使用され得る。
【０２１６】
即ち、例えば、左手で２つの指タッチを入力維持したまま右手の１本の指で上下スライドタッチ入力を入力した場合、本信号を一般的なマルチタッチ機能の２つのタッチ信号で上下にタッチ入力する場合に取り替えることができる。一般的に、アップル社のマックブックにおいて、２つのタッチで上下にスライドタッチ入力を行う場合、インターネットブラウザの上下スクロール入力を行う場合を例として挙げられる。このとき、右手の１本の指でタップした場合、左手のタッチ入力が２つであるので、２本の指でタップした場合と同様に機能を行うことができる。
【０２１７】
他の例として、左手で３つのタッチ入力を維持したまま右手で左右スライドタッチ入力を入力した場合、本信号を一般的なマルチタッチ機能の３つのタッチ信号で左右にスライドタッチ入力する場合に取り替えることができる。一般的に、アップル社のマックブックにおいて、３つのタッチで左右にスライドタッチ入力を行う場合、全画面アプリスワイプ或いは３本の指でドラッグするなどの機能を行う場合を例として挙げられる。このとき、右手の１本の指でタップした場合、左手が３つのタッチ入力を行っているため、３本の指でタップした場合と同様に機能を行うことができる。前記左手と右手の例は右手と左手の例に取り替えることができ、タッチの数を決定する入力信号の数は上述した２つと３つに限定されるものではなく、１つ或いは４つ、５つのタッチを含み得る。
【０２１８】
前記ポインタ位置情報入力部により受信される前記ポインタ位置と係わる情報は、ポインタの位置を移動させるための第１ポインタの位置と係わる情報と、前記ヒューマンインターフェース装置をテキスト入力モードからポインタ位置情報入力モードに切り替えるための第２ポインタの位置と係わる情報とにより構成され得る。
【０２１９】
例えば、テキスト入力モード中に予め設定された閾値以上のポインタ位置情報入力信号が発生する場合、ポインタ位置情報入力モードに切り替えることができる。
【０２２０】
図１０は、複合機能入力ボタンの構成図である。
【０２２１】
複合機能入力ボタンは、キーボードのようなヒューマンインターフェースにおいて少なくとも１つの文字を入力するための文字入力部３０３と、マウスポインタを移動したり、画面にユーザのタッチや３Ｄジェスチャを入力するためのポインティング位置情報を入力するための静電容量式のような物理的なタッチパッド３１１とが合わせて構成されたポインティング装置一体型のテキスト入力装置３１０を構成するための１つのボタンであり得る。
【０２２２】
本実施例において、ポインティング位置情報入力部として静電式のタッチ方式を使用して説明するが、前記光学式方式でポインティング位置情報入力部を使用して説明した複合ヒューマンインターフェース装置のモード切替部、ポインタ実行命令入力部、特殊機能キー、モード切替部及びポインタ実行命令部の位置、内部或いはディスプレイ部との連結、カバー部を活用したバッテリ内蔵方法及びヒューマンインターフェース機器の角度調整機能、テキスト文字入力領域とマウスポインティング位置情報入力領域などの内容は同様に適用され得る。
【０２２３】
前記ポインティング装置一体型のテキスト入力装置３１０は、複数個の複合機能入力ボタンにより構成され得る。
【０２２４】
前記複合機能入力ボタンは、ユーザの指のタッチが行われるカバー部１０１０と、電場を形成するためのトランスミッタ及びレシーバを含むエレクトロード部１０２０と、前記エレクトロード部を保護し、弾性部との連結性を確保するためのベース部１０３０とにより構成され得る。
【０２２５】
前記弾性部は、弾性体１０５０と、上部支持部１０４０と、下部支持部１０６０とにより構成され得る。
【０２２６】
前記上部支持部、下部支持部は、円筒状や角のある多角形の筒状に構成され、前記上部支持部と前記下部支持部は弾性体を介して位置移動し、下部支持部は上部支持部の移動をガイドすることができる。
【０２２７】
前記上部支持部は、前記カバー部、エレクトロード部、ベース部と固定されていても良い。
【０２２８】
前記下部支持部は、前記上部支持部が往復運動するガイド役割をすることができる。
【０２２９】
前記上部支持部、下部支持部は、パンタグラフ構造でエレクトロード部を含む上部構造物と弾性部を含む下部構造物を連結し、上部構造物の移動をガイドすることができる。
【０２３０】
前記弾性体は、復元力のあるドーム状の弾性材質であるか、復元力のある板状の弾性材質であるか、バネ状の弾性材質であるか、互いに異なる極性が対向している複数個の磁石であっても良く、或いはその組み合わせであっても良い。
【０２３１】
前記弾性部は、前記カバー部から第２圧力を受けて第３高さに移動し、前記カバー部の第２圧力が解除された場合、前記第１高さに復元されることができる。前記第３高さに移動することは、物理的な位置が移動したことであるか、圧力によって物体が反ったり、ソフトウェアなどによって第２圧力を感知することを意味する。
【０２３２】
前記第１圧力を感知した場合、ポインタ実行命令を発生し、第２圧力を感知した場合、追加のポインタ実行命令を発生することができる。
【０２３３】
例えば、第１圧力によってポインタが位置した所でアプリケーションの実行命令を示し、第２圧力によって前記アプリケーションの追加オプションやプレビューなどを実行する。
【０２３４】
前記第１から第５複合機能入力ボタンの前記スイッチを介して発生した前記予め決められた文字の入力を示す電気的信号は、互いに異なる文字の入力を示す電気的信号であり、前記第１から第５複合機能入力ボタンの前記エレクトロード部を介して受信された信号から判別された前記ユーザの指の接触位置或いは接触位置の変化は、１つのポインタの位置を連結性のあるように制御するためのことであり得る。
【０２３５】
前記ヒューマンインターフェース機器は、文字入力モードとポインティング位置情報入力モードとを切り替えるモード切替部をさらに含み得る。
【０２３６】
前記モード切替部は、前記複合機能入力ボタン、別途の物理スイッチ部、タッチスイッチ部、或いは予め定義されたタッチパターンにより動作され得る。
【０２３７】
前記ヒューマンインターフェース機器は、１つの文字の入力が可能な複合機能入力ボタンの複数の組み合わせで構成された文字入力機器と前記複数の複合機能入力ボタンのエレクトロード上において１つのポインティング入力装置を連続して制御するためのポインティング位置情報を発生することができる。
【０２３８】
前記複数の複合機能入力ボタンとは別に、前記ヒューマンインターフェース機器は、モード切替部とポインタ実行命令部とを備えることができる。
【０２３９】
前記モード切替部とポインタ実行命令部とは、ユーザのタッチを認識できるエレクトロードとスイッチとにより構成された１つのボタンであり、タッチによってモードを切り替えた後、指を移動したり離したりする必要なく、圧力信号でポインタ実行命令を発生することができる。
【０２４０】
複合機能入力ボタンは、発光部１０７０を含み得る。
【０２４１】
前記発光部は、前記複合機能入力ボタンの文字の入力を表示する文字を明るくしたり、前記複合機能入力ボタン自体の位置を明るくすることができる。
【０２４２】
前記発光部は、エレクトロードを含む上部構造物上に位置するか、弾性体を含む下部構造物に位置し得る。
【０２４３】
前記上部構造物は、エレクトロード部を含み、ユーザの圧力によって移動する部分であり、カバー部、エレクトロード部、ベース部などを含み得る。
【０２４４】
前記下部構造物は、前記上部構造物の移動をガイドし、前記エレクトロード部に電気的信号を送信或いは受信する構造物を含むユーザの圧力が加えられた場合、移動が発生しない部分であり得る。
【０２４５】
図１１は、複合機能入力ボタンのエレクトロードの一実施例である。
【０２４６】
静電式タッチ方式のエレクトロード部は、複数のトランスミッタとレシーバとにより構成される。
【０２４７】
一般的な静電式タッチ方式の場合、エレクトロード部は、５から３０列のトランスミッタ部が５から３０行のレシーバ部と格子状に構成され、所定大きさの四角面を構成する。
【０２４８】
本実施例において、複合機能入力ボタンは、一般的に１０から２０ミリメートルの幅を有する１つの文字入力ボタンの大きさのエレクトロード部により構成され得る。
【０２４９】
前記エレクトロード部は、独立的に小さいタッチパッドを構成してポインティング位置情報入力装置として使用し、隣接した複数個の複合機能入力ボタンと共により広い領域で連結性のあるポインティング位置情報入力装置として使用することができる。
【０２５０】
前記エレクトロード部は、１つから３つのトランスミッタとレシーバとにより構成され得る。
【０２５１】
本実施例において、１つの複合機能入力ボタンのエレクトロード部は、互いに異なるドライブ信号周期を有する３行のトランスミッタと、互いに異なるスキャン周期を有する２行のレシーバとにより構成された複合機能入力ボタンを例として説明する。
【０２５２】
ここで、前記週期とは、信号が発生するタイミングを意味し得る。
【０２５３】
本発明は、ボタンの大きさと形状に応じてトランスミッタとレシーバの個数と形状が当業者によって容易に変形可能である部分を含む。
【０２５４】
第１ドライブ周期を有する第１トランスミッタ１１０１、１１０２、１１０３と、第２ドライブ周期を有する第２トランスミッタ１１０４、１１０５、１１０６と、第３ドライブ周期を有する第３トランスミッタ１１０７、１１０８、１１０９とを有し得る。
【０２５５】
第１スキャン周期を有する第１レシーバ１１１０、１１１１と、第２スキャン周期を有する第２レシーバ１１１２、１１１３とを有し得る。
【０２５６】
前記第１から第３トランスミッタは、回路基板において短絡されたり別途の連結部材なしに１つに繋がって構成され得る。
【０２５７】
前記第１、第２のレシーバは、互いに短絡された状態で回路基板に印刷され、別途の連結部材で連結されているか、独立して同じスキャン周期に静電容量などの電気的信号をスキャンされるように構成することができる。
【０２５８】
本実施例におけるエレクトロード部は、複数の複合機能入力ボタン上に構成された複数個のエレクトロード部がまるで１つの大面積のエレクトロード部のように認識されながら１つ１つの複合機能入力ボタンを上下運動させるために、エレクトロード部分に特別な設計が必要である。
【０２５９】
例えば、前記第２トランスミッタの広さは、前記第１、第３トランスミッタの広さを合わせたものよりも広くても良い。
【０２６０】
前記第１から第３トランスミッタの広さを合わせた広さは、前記第１、第２レシーバの広さを合わせたものよりも狭くても良い。
【０２６１】
一般的な静電容量式タッチパッドの場合、１つのスキャン周期を有するレシーバは互いに連結されている。しかし、本実施例において、１つのスキャン周期を有する第１レシーバは少なくとも２つのレシーバブロック１１１０、１１１１により構成され、前記少なくとも２つのレシーバブロックは、互いに短絡されている状態で外部にスキャン信号を送信することができる。
【０２６２】
前記スキャン信号は、それぞれのレシーバブロックから受信した静電容量信号を合わせて信号処理することができる。
【０２６３】
本実施例において、トランスミッタを横に、レシーバを縦にして例を挙げたが、同じ構造上においてレシーバを横に、トランスミッタを縦に構成することができる。
【０２６４】
前記トランスミッタとレシーバとは、絶縁体１１１４、１１１５によって電気的に短絡されていても良い。
【０２６５】
前記エレクトロード部は、下に積層されるか、下に連結される外部ドライブ信号とスキャン信号を送出し及び受信するブリッジ１１２０を備えることができる。
【０２６６】
前記ブリッジは、前記エレクトロード部にドライブ信号を伝達し、前記レシーバから静電容量信号を受信することができる。
【０２６７】
図１２は、複合機能入力ボタン配置の一実施例である。
【０２６８】
本実施例において、複数個の複合機能入力ボタンにより構成された複合ヒューマンインターフェース機器は、少なくとも５つの複合機能入力ボタンを備えることができる。
【０２６９】
第１複合機能入力ボタン１２１０の左側及び右側にそれぞれ第２複合機能入力ボタン１２２０、第３複合機能入力ボタン１２３０が位置し、前記第２複合機能入力ボタンの中心点は、前記第１複合機能入力ボタンの中心点から左側と右側に延びた仮想のＸ軸線上に配列され、前記第３複合機能入力ボタンの中心点は、前記第１複合機能入力ボタンの中心点から右側に延びた仮想のＸ軸線上に配列され得る。
【０２７０】
第４複合機能入力ボタン１２４０、第５複合機能入力ボタン１２５０をさらに含み、前記第４複合機能入力ボタンの中心点は、前記第１複合機能入力ボタンの中心点から上側に延びた仮想のＹ軸から左側に位置し、前記第２複合機能入力ボタンの中心点から上側に延びた仮想のＹ軸から右側に位置し、前記第５複合機能入力ボタンの中心点は、前記第１複合機能入力ボタンの中心点から下側に延びた仮想のＹ軸から右側に位置し、前記第３複合機能入力ボタンの中心点から下側に延びた仮想のＹ軸から左側に位置し、前記第４、第５複合機能入力ボタンは、前記第１複合機能入力ボタンと隣接して位置し得る。
【０２７１】
前記第４複合機能入力ボタンの中心点が前記第１複合機能入力ボタンの中心点から上側に延びた仮想のＹ軸から左側に離隔した距離は、前記第５複合機能入力ボタンの中心点が前記第１複合機能入力ボタンの中心点から下側に延びた仮想のＹ軸から右側に離隔した距離よりも短くても良い。
【０２７２】
例えば、前記第５複合機能入力ボタンの場合、前記Ｙ軸から右側に前記第１複合機能入力ボタンの幅の長さの４０から６０パーセント移動して位置する。
【０２７３】
前記第４複合機能入力ボタンの場合、前記Ｙ軸から左側に前記第１複合機能入力ボタンの幅の長さの１５から３５パーセント移動して位置する。
【０２７４】
前記第１から第３複合機能入力ボタンの前記第１トランスミッタは、前記第４複合機能入力ボタンの前記第３トランスミッタと同じドライブ信号周期を有し得る。
【０２７５】
前記第１複合機能入力ボタンの前記第２レシーバは、前記第５複合機能入力ボタンの前記第１レシーバと同じスキャン周期を有し得る。
【０２７６】
前記第１複合機能入力ボタンの前記第１レシーバと前記第５複合機能入力ボタンの前記第２レシーバとは、互いに異なるスキャン周期を有し得る。
【０２７７】
前記第１複合機能入力ボタンの前記第２レシーバと前記第４複合機能入力ボタンの前記第２レシーバとは、前記仮想のＹ軸方向に一列に配列せず、前記第１複合機能入力ボタンの幅内で左側に移動して位置したまま、前記第１複合機能入力ボタンの前記第２レシーバと前記第４複合機能入力ボタンの前記第２レシーバとは同じスキャン周期を有し得る。
【０２７８】
それによるポインティング位置情報信号の歪曲が生じることがあり、ソフトウェアによって補正するステップをさらに要することがあり得る。
【０２７９】
ヒューマンインターフェース機器は、第６複合機能入力ボタン１５６０をさらに含み、前記第６複合機能入力ボタンの中心点は、前記第５複合機能入力ボタンの中心点から下側に延びた仮想のＹ軸上に位置することを特徴とする複合ヒューマンインターフェース装置。
【０２８０】
図１３は、複合機能入力ボタンの異なるパターンのエレクトロード配置の一実施例である。
【０２８１】
前記第１複合ボタン入力ボタンと前記第４複合ボタン入力ボタンとが仮想のＹ軸上において一列に配列されておらず、第１距離だけ左側に移動して位置していても良い。
【０２８２】
それにより、前記第１複合ボタン入力ボタンと前記第４複合ボタン入力ボタンの前記レシーバの信号歪曲が生じ得る。
【０２８３】
それを防止したり、歪曲を最小化するために、前記第４複合ボタン入力ボタンのパターンを変形して設計することができる。
【０２８４】
例えば、前記図１１に示されたエレクトロード１１３０の左側から前記第１距離だけのエレクトロードのパターンが、前記エレクトロードの前記右側に移動された第２エレクトロードの形状１３５０に構成され得る。
【０２８５】
前記第２エレクトロードの形状は、前記第１複合機能入力ボタンと前記第４複合機能入力ボタンのレシーバを仮想のＹ軸に整列する効果がある。
【０２８６】
前記第４複合機能入力ボタンの右側に、前記第２エレクトロードの形状に構成された第７複合機能入力ボタン１３６０が位置し得る。
【０２８７】
ここで、前記第４複合機能入力ボタンの最も右側に位置したレシーバ１３５１のスキャン周期は、前記第７複合機能入力ボタンの最も左側に位置したレシーバ１３６１のスキャン週期と同じであっても良い。このとき、第１複合機能入力ボタンの前記第２レシーバ１１１２、１１１３も同じスキャン周期を有し得る。
【０２８８】
図１４は、複合機能入力ボタンの電気的連結部材の実施例である。
【０２８９】
第１、第２及び第３複合機能入力ボタンのトランスミッタは、第１電気的連結部材で互いに連結されており、前記第１、第４及び第５複合機能入力ボタンのレシーバは、第２電気的連結部材で互いに連結されていても良い。
【０２９０】
前記連結部材の第１実施例において、前記連結部材は、実際に複合機能入力ボタンに圧力が加えられて第１高さから第２高さに移動する間、エレクトロード部に接触或いは接合されて共に動く第１導電体と、前記複合機能入力ボタンの動かないパートに備えられ、前記第１導電体から電気的信号を受信する第２導電体と、近くの複合機能入力ボタンの前記第２導電体と連結するベースピーシービー（ＰＣＢ）とにより構成され得る。
【０２９１】
前記ベースピーシービーは、制御部からドライブ信号やスキャン信号を複数の複合機能入力ボタンのトランスミッタやレシーバに同時に送受信することができる。
【０２９２】
前記第１導電体と前記第２導電体とは、互いにスライド方式で当接し、連結を維持したまま移動することができる。
【０２９３】
前記第１導電体と前記第２導電体とは、複合機能入力ボタンに圧力が与えられないか、予め決められた閾値以下の圧力が加えられた場合に接触を維持し、予め決められた閾値以上の圧力が加えられた場合、接触を維持して短絡される構造であり得る。
【０２９４】
前記第１導電体と第２導電体とは、非接触方式で構成することができる（１４５０）。前記第１導電体と第２導電体とは、予め決められた面積を有する導電板の形で備えられ、所定間隔を置いて対向していても良い。
【０２９５】
前記所定間隔は、空気やプラスチック、シリコーン、ガラス、磁器など、誘電率のある非導電体１４４３で埋めることができる。
【０２９６】
この場合、電気信号は、周波数を有するラジオ信号の形式で電気的信号を伝達することができる。
【０２９７】
そうすると、第１導電体と第２導電体の摩擦によって導電体が摩耗されたり、信号にノイズが生じることを低減し、複合機能入力ボタンに加えられる圧力を邪魔する摩擦の発生を最小化することができ、製造工程が単純化されるという利点がある。
【０２９８】
前記第１から第２電気的連結部材のうち少なくとも１つは、フレキシブルフィルムの上にエレクトロード部と共に導電体で印刷されたものであるか、前記エレクトロード部と密着或いは接合された前記弾性部に備えられた電気的連結部材であり得る。
【０２９９】
図１５は、複合機能入力ボタンの文字入力のためのスイッチの一実施例である。
【０３００】
複合機能入力ボタンに圧力が加えられて第１位置から第２位置に移動する場合、予め決められた文字の入力を示す電気的信号を生じさせるスイッチ１５１１、１５１２、１５１３を作動させることができる。
【０３０１】
前記ベースＰＣＢ或いは別に備えられたメンブレンに位置したスイッチ１５１２、１５２３が前記複合機能入力ボタンの移動部上に位置した端子１５１１によって連結されると、予め決められた文字の入力を示すための電気的信号を生じさせ、制御部に伝達することができる。
【０３０２】
前記スイッチは、別途の押しスイッチや、磁気や電界の変化量、光の強さ、音などを感知することで発生することができる。
【０３０３】
図１６は、複合機能入力ボタンを備えたヒューマンインターフェース機器の一実施例である。
【０３０４】
図１７は、エレクトロードキーキャップの一実施例である。
【０３０５】
エレクトロードキーキャップ１７００は、複数個が共同の一平面上に位置し、エレクトロードキーキャップレイヤ１６２０を構成することができる。
【０３０６】
例えば、１つのエレクトロードキーキャップは、モードによって１つの文字の入力を受けつけたり、所定量のタッチ位置の変化量を感知することができる。
【０３０７】
それに対し、エレクトロードキーキャップレイヤは、複数の文字の入力を受けつけることができ、前記エレクトロードキーキャップの数に比例してタッチ位置の変化量を感知することができる。
【０３０８】
複合機能ヒューマンインターフェース機器は、制御部と、ユーザの指の接触が行われるカバー部１０１０と、第１導電体１７４１、１７４２、１７１３、１７１４、１７４６、１７４８及びエレクトロード部１０２０、１７０１を含むエレクトロードキーキャップ１７００と、第２導電体とを含み得る。
【０３０９】
前記第２導電体は、第１サーキットレイヤ１６３０に備えられ得る。
【０３１０】
前記エレクトロードキーキャップの上段に密着したカバー部にユーザの指の接触が行われると、前記エレクトロードに備えられたトランスミッタとレシーバとの間の電場に影響が与えられ、静電容量が変化する。
【０３１１】
前記第１導電体は、複数個備えられ、前記エレクトロード部のトランスミッタとレシーバとにそれぞれ備えられ得る。
【０３１２】
前記トランスミッタと連結された前記第１導電体を介して所定信号周期にドライブ信号が加えられれば、前記トランスミッタと前記レシーバとの間の静電容量が形成され、前記発生した静電容量が前記レシーバによって前記レシーバに連結された前記第１導電体を介して前記第１導電体と電気的に連結された第２導電体を介して伝達され、制御部は、伝達された静電容量の変化を感知する。
【０３１３】
前記エレクトロード部は、前記第１導電体を介して前記第２導電体と電気的に連結されており、前記エレクトロード部は、前記エレクトロードキーキャップの第１面１７０２に位置し、前記第１導電体は、前記第１面と垂直に形成された柱に予め定義された面積で形成され得る。
【０３１４】
前記第１面と垂直に形成された柱は少なくとも２本形成されており、前記第１導電体は、前記少なくとも２本の柱にそれぞれ形成され得る。
【０３１５】
前記エレクトロード部１０２０、１７０１はトランスミッタ及びレシーバを含み、前記少なくとも２本の柱にそれぞれ形成された前記第１導電体は、それぞれ前記トランスミッタ及び前記レシーバと電気的に連結され得る。
【０３１６】
前記第１導電体は、前記柱の表面を囲んで形成され得る。
【０３１７】
前記柱は、前記柱を貫通する孔１７０３を有する管状からなり、前記孔は、前記第１面１７０２を共に貫通し、前記孔の内壁を介して前記エレクトロード部と前記第１導電体とが電気的に連結され得る。
【０３１８】
前記エレクトロード部は、前記第１面に特定の形を有する複数のパターンブロック１７０１を有し、前記パターンブロックの少なくとも一部は、前記エレクトロードキーキャップの第２面１７３１を介して互いに電気的に連結され得る。
【０３１９】
前記第２面を介して電気的に連結されている前記複数のパターンブロック１７０４は、１本の柱に形成された第１導電体１７１３を介して前記第２導電体と電気的に連結され得る。
【０３２０】
例えば、第１面１７０２の最上段の三角のパターンブロック３つは、前記三角のパターンブロックと隣接した側面１７３１に備えられた導電体により電気的に連結され得る。
【０３２１】
同様に、最下段の三角のパターンブロック３つは、前記最下段の三角のパターンブロック３つと隣接した側面に備えられた導電体により電気的に連結され得る。
【０３２２】
ここで、前記最上段或いは最下段の三角のパターンブロック３つは、背面に備えられた柱１本と前記柱に備えられた孔を介して電気的に連結され得る。
【０３２３】
また、中間に横になっている三角形と菱形と三角形のパターンブロックは、前記第１面において電気的に連結され、同様に、背面にある１本の柱と前記柱に備えられた孔を介して第１導電体と電気的に連結され、ここに使用された柱は、背面の中心部に位置し、弾性部に圧力を伝達する目的としても同時に使用され得る。
【０３２４】
このとき、前記最上段及び最下段及び中間に備えられたパターンブロックは、トランスミッタ信号を送出すことができ、それぞれ互いに異なる信号周期を有し得る。
【０３２５】
また、上段に横に配置された菱形状の２つのパターンブロックと、下段に横に配置された菱形状の２つのパターンブロックとは、前記第１面において電気的に孤立しており、それぞれ背面に備えられた柱に備えられた孔を介して第１導電体と電気的に連結され得る。
【０３２６】
前記第１導電体は、前記エレクトロードキーキャップの背面に複数個の柱にそれぞれ備えられ得る。
【０３２７】
前記第２面を介して電気的に連結されている前記複数のパターンブロックは、同じ信号周期を有するトランスミッタであり得る。
【０３２８】
前記エレクトロード部は、前記第１面に特定の形状を有する少なくとも３つのパターンブロック１７０４を有し、前記３つのパターンブロックは、それぞれ１つの柱に形成された第１導電体を介して前記第２導電体と電気的に連結され得る。
【０３２９】
前記複数のパターンブロックのうち少なくとも２つのパターンブロックは、第１信号周期を有し、少なくとも１つのパターンブロックは、第２信号周期を有し得る。
【０３３０】
前記少なくとも３つのパターンブロックは、レシーバであり得る。
【０３３１】
前記複合ヒューマンインターフェース機器は、弾性部１０５０をさらに含み、前記柱は、前記カバー部に加えられたユーザの圧力を前記弾性部に伝達して、前記カバー部と前記エレクトロードキーキャップの位置が第１位置から第２位置に移動できるようにし、前記ユーザの圧力が解除された場合、前記弾性部から圧力を受信して、前記カバー部と前記エレクトロードキーキャップの位置が前記第２位置から前記第１位置に復元されるようにすることができる。
【０３３２】
前記エレクトロード部と第１導電体とは、少なくとも１つの平板と、前記平板に垂直に連結され、前記平板と前記柱を貫通する孔がある少なくとも２本の柱とにより構成された不導体形状物に導電体めっきすることで形成することができる。
【０３３３】
前記エレクトロード部は、前記第１面に特定の形状を有する複数のパターンブロックを有し、前記第１面の背面に位置した第３面１７１０には複数個の柱が形成され得る。
【０３３４】
前記複数個の柱には、前記第１導電体が形成されており、前記複数の柱に形成された前記第１導電体は第３面によって電気的に短絡されてあり得る。
【０３３５】
前記エレクトロード部は、前記第１面に特定の形状を有する複数のパターンブロックを有し、前記複数のパターンブロックは、前記第１面の一側面に位置した第４面１７３２と電気的に連結されているが、前記第４面に形成された電気的短絡１７３３によって前記複数のパターンブロックは互いに電気的に短絡され得る。
【０３３６】
前記パターンブロックは、単に図面に例示した内容に限定されるものではなく、その他にも長方形、櫛目状など様々なパターンを含み得る。
【０３３７】
前記複合ヒューマンインターフェース機器は、複数の前記エレクトロードキーキャップにより構成され、前記複数のエレクトロードキーキャップに備えられた前記第１導電体は、複数の前記第２導電体に電気的信号を伝達し、前記複数の第２導電体は、１つの第１サーキットレイヤ１６３０に構成され得る。
【０３３８】
前記ヒューマンインターフェース機器は、前記エレクトロードキーキャップの下段に光源をさらに含み、前記柱は、前記柱を貫通する孔を有する管状からなっており、前記カバー部は、光が拡散する導光体材質で構成され、前記孔を介して前記光源から光を受け、発光することができる。
【０３３９】
前記孔は、前記エレクトロードキーキャップのエレクトロード部と第１導電体とをめっき方式で電気的に連結するために必須に使用され得る。
【０３４０】
しかし、めっきを行えばエレクトロードキーキャップが不透明になり、キーボードのキーが発光することで暗い所でも作業を便利にするという機能を与えることが難しい。
【０３４１】
ところが、前記孔を介して光源を伝達することができるので、前記孔は、電気的な連結通路及び光源の通路として使用され得る。
【０３４２】
前記カバー部は、ユーザとの接触が行われる面にテキストの入力を案内する文字が印刷されているか、刻印されているか、前記文字の形状に孔が開いたフィルムが付着していても良い。
【０３４３】
前記第１導電体と前記第２導電体とは、所定面積を非接触式で対面しており、高周波の電気的信号が非接触式で前記所定面積を介して伝達され得る。
【０３４４】
一例として、前記柱が円筒状であり場合、前記第１導電体及び前記第２導電体と非接触式で対面している面は、所定幅を有する帯状であっても良く、前記柱が四角柱である場合、所定幅を有する四角の帯状であっても良い。或いは、前記柱の一部領域のみに第１導電体を備え、所望する形状と面積の対面部を具現する。
【０３４５】
図１８から図２２は、複数の複合機能入力ボタンのエレクトロードパターンの一実施例である。
【０３４６】
複合ヒューマンインターフェース機器は、デスクトップ入力機、タブレットＰＣ用入力機、ノートパソコン用入力機、ホームシアター制御用入力機、自動走行自動車のマルチメディア制御用入力機、仮想現実或いは拡張現実の入力機など、様々な電子機器で使用され得る。
【０３４７】
前記複合ヒューマンインターフェースが備えられた電子機器は、第１から第５複合機能入力ボタンを含み得る。
【０３４８】
前記第１から第５複合機能入力ボタンは、それぞれ互いに異なる文字の入力を受信すると共に、ユーザから１つのポインタ位置情報を制御するためのタッチ入力を受信することができる。
【０３４９】
前記第１から第５複合機能入力ボタンは、それぞれＸ軸或いはＹ軸に一列に整列されることなく位置し得る。
【０３５０】
一例として、前記第１から第３複合機能入力ボタンは、Ｘ軸方向に一列に整列されており、前記第４から第５複合機能入力ボタンは、前記Ｘ軸からそれぞれ上下側に位置する。
【０３５１】
また、前記第４複合機能入力ボタン１２４０は、前記第１複合機能入力ボタンとＹ軸に対して整列されておらず、約２５パーセント左側に離隔して位置し得る。
【０３５２】
前記第５複合機能入力ボタン１２５０は、前記第１複合機能入力ボタンとＹ軸に対して整列されておらず、約５０パーセント右側に離隔して位置し得る。
【０３５３】
前記第１から第５複合機能入力ボタンが１つのポインタ位置情報を制御するために、前記複数のトランスミッタ及び前記複数のレシーバは、同じドライブ信号を有するトランスミッタ同士で一列に整列し、同じスキャン信号周期を有するレシーバ同士で一列に整列されなければならない。
【０３５４】
それに対し、第１から第５複合機能入力ボタンがＸ軸或いはＹ軸に対して一列に整列されていないため、前記複合機能入力ボタンは、２つから４つのＸ軸、Ｙ軸に平行なレシーバ或いはトランスミッタを備え、前記複合機能入力ボタンがＸ軸或いはＹ軸に対して一列に整列されていないにもかかわらず前記レシーバ或いはトランスミッタを整列できるようになる。
【０３５５】
前記各々の複合機能入力ボタンは、トランスミッタ部Ｔ１、Ｔ２、Ｔ３、Ｔ４とレシーバ部Ｒ１、Ｒ２、Ｒ３、Ｒ４とにより構成されたエレクトロード部１０２０ａ、１０２０ｂ、１０２０ｃ、１０２０ｄ、１０２０ｅ、１０２０ｆ、１０２０ｇ、１０２０ｈ、１０２０ｉ、１０２０ｊ、１０２０ｋ、１０２０ｌにより構成され得る。
【０３５６】
前記エレクトロード部は、Ｘ軸に平行なようにトランスミッタを備え、Ｙ軸に平行なようにレシーバを備えることができる（１０２０ａ、１０２０ｃ、１０２０ｅ、１０２０ｇ、１０２０ｉ、１０２０ｋ）。
【０３５７】
後述する実施例において、基本的に前記エレクトロード部はＸ軸に平行なトランスミッタとＹ軸に平行なレシーバである場合について記述するが、特に記述しなくても、トランスミッタとレシーバとが換わり合う構成、即ちＸ軸に平行なレシーバとＹ軸に平行なトランスミッタに対しても同じ構成が可能である。
【０３５８】
前記エレクトロード部は、Ｙ軸に平行なようにトランスミッタを備え、Ｘ軸に平行なようにレシーバを備えることができる（１０２０ｂ、１０２０ｄ、１０２０ｆ、１０２０ｈ、１０２０ｊ、１０２０ｌ）。
【０３５９】
図１８は、複数の複合機能入力ボタンのエレクトロードパターンの一実施例であり、前記エレクトロード部は、４つのトランスミッタと４つのレシーバとを含み得る。
【０３６０】
後述する実施例では、Ｘ軸に平行な４つのトランスミッタとＹ軸に平行な４つのレシーバ１０２０ａとにより構成された実施例を基に説明するが、Ｘ軸に平行な４つのレシーバとＹ軸に平行な４つのトランスミッタ１０２０ｂに対しても同じ説明が可能である。
【０３６１】
前記トランスミッタ部は、少なくとも２つのドライバ信号周期を有する第１から第４トランスミッタを有し、前記レシーバ部は、少なくとも２つの互いに異なるスキャン信号周期を有する第１から第４レシーバＲ１、Ｒ２、Ｒ３、Ｒ４を有し得る。
【０３６２】
前記第４複合機能入力ボタン１２４０の前記第１レシーバは、前記第２複合機能入力ボタン１２２０の前記第４レシーバと同じスキャン信号周期を有し得る。
【０３６３】
前記第４複合機能入力ボタン１２４０の前記第２レシーバは、前記第１複合機能入力ボタンの前記第１レシーバと同じスキャン信号周期を有し得る。
【０３６４】
前記第４複合機能入力ボタンの前記第３レシーバは、前記第１複合機能入力ボタンの前記第２レシーバと同じスキャン信号周期を有し得る。
【０３６５】
前記第４複合機能入力ボタンの前記第４レシーバは、前記第１複合機能入力ボタンの前記第３レシーバ及び前記第５複合機能入力ボタン１２５０の前記第１レシーバと同じスキャン信号周期を有し得る。
【０３６６】
前記複合ヒューマンインターフェースが備えられた電子機器は、第６複合機能入力ボタン１２６０を有し、前記第６複合機能入力ボタンは、前記第５複合機能入力ボタンとＹ軸に整列されて隣接しており、前記前記第６複合機能入力ボタンの前記第１から第４レシーバは、前記第５複合機能入力ボタンの前記第１から第４レシーバとそれぞれ同じスキャン信号周期を有し得る。
【０３６７】
それに対し、前記第５複合機能入力ボタンと前記第６複合機能入力ボタンとは、互いに異なるドライバ信号周期を有し得る。
【０３６８】
前記複合ヒューマンインターフェースが備えられた電子機器は、第７複合機能入力ボタン１２７０を有し得る。
【０３６９】
前記第７複合機能入力ボタンの前記第１レシーバは、前記第１複合機能入力ボタンの前記第４レシーバ及び前記第５複合機能入力ボタンの前記第２レシーバと同じスキャン信号周期を有し得る。
【０３７０】
前記第７複合機能入力ボタンの前記第２レシーバは、前記第３複合機能入力ボタンの前記第１レシーバ及び前記第５複合機能入力ボタンの前記第３レシーバと同じスキャン信号周期を有し得る。
【０３７１】
前記第１から第３複合機能入力ボタンの前記第１トランスミッタは、第１ドライバ周期を有し、前記第１から第３複合機能入力ボタンの前記第２トランスミッタは、第２ドライバ周期を有し得る。
【０３７２】
前記第４複合機能入力ボタン及び前記第７複合機能入力ボタンの前記第１トランスミッタは、第３ドライバ周期を有し、前記第４複合機能入力ボタン及び前記第７複合機能入力ボタンの前記第２トランスミッタは、第４ドライバ周期を有し得る。
【０３７３】
前記第５複合機能入力ボタンの前記第１トランスミッタは、第５ドライバ周期を有し、前記第５複合機能入力ボタンの前記第２トランスミッタは、第６ドライバ周期を有し得る。
【０３７４】
前記第６複合機能入力ボタンの前記第１トランスミッタは、第７ドライバ周期を有し、前記第６複合機能入力ボタンの前記第２トランスミッタは、第８ドライバ周期を有し得る。
【０３７５】
前記第１から第５複合機能入力ボタンのうち少なくとも２つの複合機能入力ボタンは、それぞれ前記第１から前記第２レシーバが同じスキャン信号周期を有し、前記第３から前記第４レシーバが同じスキャン信号周期を有し得る。
【０３７６】
前記第１から第５複合機能入力ボタンのうち少なくとも２つの複合機能入力ボタンは、それぞれ前記第２から前記第３レシーバが同じスキャン信号周期を有し、前記第１レシーバ及び前記第４レシーバは、互いに異なるスキャン信号周期を有し得る。
【０３７７】
例えば、前記第１複合機能入力ボタンの前記第１から第２レシーバは、第１スキャン信号周期を有し、前記第３から第４レシーバは、第２スキャン信号周期を有し得る。
【０３７８】
前記第３複合機能入力ボタンの前記第１から第２レシーバは、第３スキャン信号周期を有し、前記第３から第４レシーバは、第４スキャン信号ズギル有し得る。
【０３７９】
前記第４複合機能入力ボタンの前記第１レシーバは、第５スキャン信号周期を有し、前記第２から第３レシーバは、前記第１スキャン信号周期を有し、前記第４レシーバは、第２スキャン信号周期を有し得る。
【０３８０】
前記第７複合機能入力ボタンの前記第１レシーバは、第２スキャン信号周期を有し、前記第２から第３レシーバは、前記第３スキャン信号周期を有し、前記第４レシーバは、第４スキャン信号周期を有し得る。
【０３８１】
図１９は、複数の複合機能入力ボタンのエレクトロードパターンの一実施例であり、前記エレクトロード部は、Ｘ軸に平行な２つのトランスミッタとＹ軸に平行な４つのレシーバ１０２０ｃとを含み得る。
【０３８２】
後述する実施例では、Ｘ軸に平行な２つのトランスミッタとＹ軸に平行な４つのレシーバとにより構成された例を記述するが、Ｘ軸に平行な２つのレシーバとＹ軸に平行な４つのトランスミッタ１０２０ｄに対しても同じ説明が可能である。
【０３８３】
前記複合ヒューマンインターフェースが備えられた電子機器は、第１から第５複合機能入力ボタンにより構成され、前記各々の複合機能入力ボタンは、トランスミッタ部とレシーバ部とにより構成されたエレクトロード部により構成され得る。
【０３８４】
前記トランスミッタ部は、互いに異なるドライバ信号周期を有する第１から第２トランスミッタを有し、前記レシーバ部は、互いに異なるスキャン信号周期を有する第１から第２レシーバを有し得る。
【０３８５】
前記第１複合機能入力ボタンの前記第２レシーバは、前記第５複合機能入力ボタンの第１レシーバと同じスキャン信号周期を有し、前記第３複合機能入力ボタンの前記第１レシーバは、前記第５複合機能入力ボタンの第２レシーバと同じスキャン信号周期を有し得る。
【０３８６】
前記第１から第３複合機能入力ボタンの前記第１トランスミッタは、第１ドライバ信号周期を有し、前記第１から第３複合機能入力ボタンの前記第２トランスミッタは、第２ドライバ信号周期を有し、前記第４複合機能入力ボタンの第１トランスミッタは、第３ドライバ信号周期を有し、前記第４複合機能入力ボタンの第２トランスミッタは、第４ドライバ信号周期を有し、前記第５複合機能入力ボタンの第１トランスミッタは、第５ドライバ信号周期を有し、前記第５複合機能入力ボタンの第２トランスミッタは、第６ドライバ信号周期を有し得る。
【０３８７】
前記第１から第３複合機能入力ボタンの中心点は、仮想のＸ軸線上にあり、前記第１から第５複合機能入力ボタンの前記第１から第２トランスミッタは、前記仮想のＸ軸と実質的に平行であり、前記第１から第５複合機能入力ボタンの前記第１レシーバ及び前記第２レシーバは、前記仮想のＸ軸と実質的に直交して位置し得る。
【０３８８】
前記第１複合機能入力ボタンの前記第２レシーバ及び前記第５複合機能の第１レシーバ、並びに前記第４複合機能入力ボタンの第２レシーバは、同じスキャン信号周期を有し得る。
【０３８９】
或いは、前記第１複合機能入力ボタンの前記第２レシーバ及び前記第５複合機能の第１レシーバ、並びに前記第７複合機能入力ボタンの第１レシーバは、同じスキャン信号周期を有し得る。
【０３９０】
前記第１複合機能入力ボタンの前記第２レシーバ及び前記第５複合機能の第１レシーバは、前記Ｘ軸と直交して一列に整列されており、前記第４複合機能入力ボタンの第２レシーバと第７複合機能入力ボタンの第１レシーバとの間に第１距離２０１０だけ離隔して位置し得る。
【０３９１】
これは、複合機能入力ボタンの製作単価を節減するためにパターンを単一化するのに必要である。このとき、ユーザタッチ入力のソフトウェア的な補正が必要となる。
【０３９２】
前記第１複合機能入力ボタンから前記第４複合機能入力ボタンに前記Ｘ軸と直交してユーザのタッチが連続して入力される場合、前記第１距離に対応してユーザの タッチ入力 の座標をＸ軸方向に補正する制御部を含み得る。
【０３９３】
前記第１から第５複合機能入力ボタンは、前記第１から第５複合機能入力ボタンの表面を含む領域内で発生する連続して入力されるユーザのタッチを感知し、１つのポインタ位置を連続して制御する制御部を含み得る。
【０３９４】
前記第１から第５複合機能入力ボタンは、それぞれユーザの圧力信号を感知し、それぞれ第１から第５文字の入力信号を発生する制御部を含み得る。
【０３９５】
即ち、前記複数の複合機能入力ボタンはそれぞれキーボードの１つのキーを担当し、１つの文字を発生すると同時に前記隣接した複数の複合機能入力ボタンのタッチ表面領域内においてボタンとボタンの間を横切って発生する連続したユーザのタッチ入力により、１つのマウスポインタのようなポインタ位置情報を発生し、前記ポインタの位置移動を制御することができる。
【０３９６】
前記隣接した複数の複合機能入力ボタンのタッチ表面領域内において複数のタッチが同時に行われる場合、マルチタッチ機能、即ち、ズームイン、ズームアウト、スクロール、画面切替などの機能を行うことができる。
【０３９７】
前記レシーバがＸ軸に平行で、前記トランスミッタがＹ軸に平行なエレクトロード１０２０ｈの場合を説明すると、前記複合ヒューマンインターフェース機器が備えられた電子機器は、第１から第５複合機能入力ボタンにより構成され、前記各々の複合機能入力ボタンは、トランスミッタ部とレシーバ部とにより構成されたエレクトロード部で構成され、前記トランスミッタ部は、互いに異なるドライバ信号周期を有する第１から第２トランスミッタを有し、前記レシーバ部は、互いに異なるスキャン信号周期を有する第１から第２レシーバを有し得る。
【０３９８】
前記第１複合機能入力ボタンの前記第２トランスミッタは、前記第５複合機能入力ボタンの第１トランスミッタと同じドライブ信号周期を有し、前記第３複合機能入力ボタンの前記第１トランスミッタは、前記第５複合機能入力ボタンの第２トランスミッタと同じドライブ信号周期を有し得る。
【０３９９】
前記第１から第３複合機能入力ボタンの前記第１レシーバは、第１スキャン信号周期を有し、前記第１から第３複合機能入力ボタンの前記第２レシーバは、第２スキャン信号周期を有し、前記第４複合機能入力ボタンの第１レシーバは、第３スキャン信号周期を有し、前記第４複合機能入力ボタンの第２レシーバは、第４スキャン信号周期を有し、前記第５複合機能入力ボタンの第１レシーバは、第５スキャン信号周期を有し、前記第５複合機能入力ボタンの第２レシーバは、第６スキャン信号周期を有し得る。
【０４００】
前記第１から第３複合機能入力ボタンの中心点は、仮想のＸ軸線上にあり、前記第１から第５複合機能入力ボタンの前記第１から第２レシーバは、前記仮想のＸ軸と実質的に平行であり、前記第１から第５複合機能入力ボタンの前記第１から第２トランスミッタは、前記仮想のＸ軸と実質的に直交して位置し得る。
【０４０１】
前記第１複合機能入力ボタンの前記第２トランスミッタ及び前記第５複合機能の第１トランスミッタは、前記Ｘ軸と直交して一列に整列されており、前記第４複合機能入力ボタンの第２トランスミッタと第７複合機能入力ボタンの第１トランスミッタとの間に位置し得る。
【０４０２】
図２３は、テキスト入力モードとポインタ位置情報入力モードとの切り替え方法に関するフローチャートである。
【０４０３】
前記複合ヒューマンインターフェースが備えられた電子機器は、右利きモードと左利きモードとが備えられ得る。
【０４０４】
前記右利きモードは、ユーザのタッチ入力をユーザの右手から容易に入力してもらうようにタッチ領域が設定され得る。
【０４０５】
前記左利きモードは、ユーザのタッチ入力をユーザの左手から容易に入力してもらうようにタッチ領域が設定され得る。
【０４０６】
前記右利きモード及び前記左利きモードは、前記複合ヒューマンインターフェース機器が備えられた電子機器上に別途のスイッチ、少なくとも２つの同時テキスト入力、予め定義されたタッチパターン、テキスト入力とタッチ入力の組み合わせ、モード切替部を介した入力などにより設定され得る。
【０４０７】
前記複合ヒューマンインターフェースが備えられた電子機器において、第１ポインタ実行命令ボタン及び前記第２ポインタ実行命令ボタンは、ユーザの圧力によって動作し、前記第１ポインタ実行命令ボタン及び前記第２ポインタ実行命令ボタンは、ユーザのタッチ入力を感知できるセンサをさらに備え、前記第１ポインタ実行命令ボタン及び前記第２ポインタ実行命令ボタンにタッチ入力が受信された場合、前記複合ヒューマンインターフェースが備えられた電子機器を臨時タッチモードに切り替えることができる。
【０４０８】
前記臨時タッチモードは、前記第１ポインタ実行命令ボタン或いは前記第２ポインタ実行命令ボタンに前記ユーザのタッチが解除された場合、前記臨時タッチモードを解除してテキスト入力モードに切り替えることができる。
【０４０９】
前記第１ポインタ実行命令ボタンは、前記第２ポインタ実行命令ボタンの左側に位置し、ユーザの左手の親指と隣接し、前記第２ポインタ実行命令ボタンは、ユーザの右手の親指と隣接して備えられ得る。
【０４１０】
前記第１ポインタ実行命令ボタンに備えられたタッチセンサを通じて前記臨時タッチモードに切り替えられる場合、前記複合ヒューマンインターフェースを備えた電子機器は右利きモードに切り替えられ得る。
【０４１１】
前記右利きモードの場合、ポインタ位置情報を受信するための右手タッチ領域１０８ｂを右手でのタッチ入力が容易なように設定することができる。
【０４１２】
前記右手タッチ領域１０８ｂは、ユーザの左手がテキストを入力するために指を乗せる領域を除いて設定することができる。
【０４１３】
一例として、一般的なキーボード形態の複合ヒューマンインターフェースの場合、テキストＦキーを含むＹ軸の左側をタッチ非活性領域に設定し、テキストＧキーを含むＹ軸の右側をタッチ活性化領域に設定する。
【０４１４】
前記第２ポインタ実行命令ボタンに備えられたタッチセンサを通じて前記臨時タッチモードに切り替えられる場合、前記複合ヒューマンインターフェースを備えた電子機器は、左利きモードに切り替えられ得る。
【０４１５】
前記左利きモードの場合、ポインタ位置情報を受信するための左手タッチ領域１０８ａを左手でのタッチ入力が容易なように設定することができる。
【０４１６】
前記左手タッチ領域１０８ａは、ユーザの右手がテキストを入力するために指を乗せる領域を除いて設定することができる。
【０４１７】
一例として、一般的なキーボード形態の複合ヒューマンインターフェースの場合、テキストＪキーを含むＹ軸の右側をタッチ非活性領域に設定し、テキストＨキーを含むＹ軸の左側をタッチ活性化領域に設定する。
【０４１８】
また、前記複合ヒューマンインターフェースを備えた電子機器と連結された外部デバイスにおいて、左手或いは右手モードを予め設定することができる。
【０４１９】
前記臨時タッチモードは、ＵＳインターナショナルキーボード配列において、文字Ｑ、Ｗ、Ｅ、Ｒのテキスト入力信号を発生する前記複数の複合機能入力ボタンのうち少なくとも２つからユーザのタッチ入力が同時に発生する場合、前記右手タッチモードに切り替え、前記少なくとも２つのユーザタッチ入力が解除された場合、前記右手タッチモードを解除してテキスト入力モードに切り替えることができる。
【０４２０】
前記臨時タッチモードは、ＵＳインターナショナルキーボード配列において、文字Ｚ、Ｘ、Ｃ、Ｖのテキスト入力信号を発生する前記複数の複合機能入力ボタンのうち少なくとも２つからユーザのタッチ入力が同時に発生する場合、前記右手タッチモードに切り替え、前記少なくとも２つのユーザタッチ入力が解除された場合、前記右手タッチモードを解除してテキスト入力モードに切り替えることができる。
【０４２１】
前記臨時タッチモードは、ＵＳインターナショナルキーボード配列において、文字Ｕ、Ｉ、Ｏ、Ｐのテキスト入力信号を発生する前記複数の複合機能入力ボタンのうち少なくとも２つからユーザのタッチ入力が同時に発生する場合、前記左手タッチモードに切り替え、前記少なくとも２つのユーザタッチ入力が解除された場合、前記左手タッチモードを解除してテキスト入力モードに切り替えることができる。
【０４２２】
前記臨時タッチモードは、ＵＳインターナショナルキーボード配列において、文字Ｍ、＜、＞、？のテキスト入力信号を発生する前記複数の複合機能入力ボタンのうち少なくとも２つからユーザのタッチ入力が同時に発生する場合、前記左手タッチモードに切り替え、前記少なくとも２つのユーザタッチ入力が解除された場合、前記左手タッチモードを解除してテキスト入力モードに切り替えることができる。
【０４２３】
前記少なくとも２つのタッチ入力が同時に発生した前記複合機能入力ボタンは、前記タッチ入力が維持される状態で圧力信号をさらに受信する場合、前記臨時タッチモードを実行中に制御されるポインタの第１ポインタ実行命令入力或いは第２ポインタ実行命令入力に機能することができる。
【０４２４】
前記臨時タッチモードが活性化した場合、前記テキスト入力モードは非活性化することができる。
【０４２５】
前記テキスト入力モードが非活性した場合、少なくとも１つのテキスト入力は可能なように例外を持つことができる。
【０４２６】
図２４は、永久タッチモード切り替え方法に関するフローチャートである。
【０４２７】
前記第１ポインタ実行命令ボタンと前記第２ポインタ実行命令ボタンとが同時に予め設定された時間の押される場合、前記複合ヒューマンインターフェース機器が備えられた電子機器は、永久タッチモードに設定され得る。
【０４２８】
前記複合ヒューマンインターフェースが備えられた電子機器上の別途のスイッチ、少なくとも２つの同時テキスト入力、予め定義されたタッチパターン、テキスト入力とタッチ入力の組み合わせ、モード切替部の動作などにより、前記複合ヒューマンインターフェース機器が備えられた電子機器は永久タッチモードに設定され得る。
【０４２９】
前記永久タッチモードは、前記ポインタ位置情報を入力するために、別途のユーザ入力を維持する必要なく、ユーザのポインタ位置情報を入力してもらうことのできるモードである。
【０４３０】
一例として、臨時タッチモードにおいては、基本的に前記複合ヒューマンインターフェースが備えられた電子機器はテキスト入力モードに設定されており、別途のユーザの入力が維持されている間に臨時タッチモードに切り替え、前記別途のユーザの入力が解除された場合、前記臨時タッチモードを解除して前記テキスト入力モードに切り替えられる。
【０４３１】
一方、永久タッチモードにおいては、基本的に前記複合ヒューマンインターフェースが備えられた電子機器は永久タッチモードに設定されており、テキスト入力モードが非活性化され得る。
【０４３２】
前記永久タッチモードは、予め定義された条件で解除され得る。
【０４３３】
例えば、前記永久タッチモードが設定された状態で予め定義された時間だけユーザのタッチ入力がない場合、前記永久タッチモードを解除することができる。
【０４３４】
前記永久タッチモードが設定された状態で予め定義されたタッチパターン、或いは予め定義されたボタンの入力、或いは前記非活性が例外となったテキスト入力ボタンの入力、或いはテキスト入力の繰り返し、或いは複数のテキスト入力が同時に入力される場合、前記永久タッチモードを解除することができる。
【０４３５】
前記永久タッチモードは、前記右手タッチモード時のタッチ領域と前記左手タッチモード時のタッチ領域との少なくとも一部を含み、前記右手タッチモード時のタッチ領域と前記左手タッチモード時のタッチ領域よりも広くても良い。
【０４３６】
好ましくは、前記右手タッチモード時のタッチ領域と前記左手タッチモード時のタッチ領域とを合わせた領域であり得る。
【０４３７】
図２５は、複数の複合機能入力ボタンが板状に備えられた複合機能入力ボタンモジュールである。
【０４３８】
前記板状に製作された複数の複合機能入力ボタンが備えられたモジュールは、ノートパソコンや携帯型キーボード、デスクトップキーボード、インターネットテレビ入力装置に使用される複合キーボードモジュールとして使用され得る。
【０４３９】
前記モジュールは、複数のカバー部１０１０、複数のエレクトロード部１０２０、電気的連結部材２６１０、複数のベース部１０３０、カバー部が平行に上下移動できるように助ける平衡維持部２６２０、複数の弾性部１０５０の順に構成され得る。
【０４４０】
図２６は、エレクトロード部１０２０の詳細構造の一例である。
【０４４１】
前記複数のエレクトロード部は、カバー部の大きさに合わせて切断されたフィルム１０２０ａに導電性インクでトランスミッタ部及びレシーバ部を印刷（１０２０ｂ）するか、フレキシブルプリント回路基板（ＦＰＣＢ）方式で製作することができる。
【０４４２】
前記電気的連結部材２６１０は、ＦＰＣＢ方式で製作し、前記エレクトロード部の少なくとも１つのトランスミッタと少なくとも１つのレシーバと接点を有し得る。
【０４４３】
前記電気的連結部材２６１０と前記エレクトロード部１０２０は、導電性接着剤２６１１で接合し、前記接点で電気が流れるようにすることができる。
【０４４４】
前記電気的連結部材２６１０は、前記エレクトロード部と一体型でＦＰＣＢで製作され得る。
【０４４５】
図２７は、導電性接着剤の接着部位の一例である。
【０４４６】
前記導電性接着剤は、前記電気的連結部材の一部と前記エレクトロード部の一部とを互いに接合することができる。
【０４４７】
このとき、接着部位から除外された部分２７１２は、隣接した複合機能入力ボタンの電気的連結部材と連結され、カバー部の移動によって流動的に動くことのできる構造２７１１となっていても良い。
【０４４８】
前記流動的に動くことのできる電気的連結部材は、アルファベット大文字Ｌ字状に隣接した電気的連結部材と共にアルファベット大文字Ｕ字状に構成され得る。
【０４４９】
このような形態は、カバー部が上下に移動する場合、電気的連結部材が隣接した複合機能入力ボタンと上下位置が変わっても、ユーザへの物理的抵抗を最小化しながら通電状態を維持するのに最適な性能が得られる。
【０４５０】
前記電気的連結部材は、複数のエレクトロード部を互いに連結しつつ、第１面と第２面に位置したサーキットレイヤと連結され得る。
【０４５１】
前記第１面に位置したサーキットレイヤ２６１３は、前記第１から第５複合機能入力ボタンのトランスミッタにドライブ信号を伝達するドライブ信号を発生し、前記第２面に位置したサーキットレイヤ２６１２は、前記第１から第５複合機能入力ボタンのレシーバからスキャン信号を受信することができる。
【０４５２】
前記サーキットレイヤは、制御部と連結され、ドライブ信号を発生し、スキャン信号を受信することができる。
【０４５３】
図２８は、複合機能入力ボタンの一実施例である。
【０４５４】
複合機能入力ボタンの展開図２８１０、複合機能入力ボタンの組立図２８２０、複合機能入力ボタンの断面図２８３０、カバー部の位置が移動した場合の複合機能入力ボタンの断面図２８４０である。
【０４５５】
複合機能入力ボタンは、カバー部２８１１と、エレクトロード部２８１８と、第１ベース部２８１２と、平衡維持部２８１３と、弾性部１０５０と、第１サーキットレイヤ２８１６と、第２サーキットレイヤ２８１５と、第３サーキットレイヤ２８１４と、第２ベース部２８０３と、電気的連結部材２８１９とにより構成され得る。
【０４５６】
前記複合機能入力ボタンは、発光部２８１７をさらに含み、前記発光部は、エレクトロード部或いはサーキットレイヤに位置し得る。
【０４５７】
前記エレクトロード部と電気的連結部材、サーキットレイヤは、１つのＦＰＣＢとして製作され得る。
【０４５８】
前記第１サーキットレイヤ２８１６は、ポインタ位置情報入力信号とテキスト入力信号とを何れも受信することができる。
【０４５９】
前記弾性部は、前記サーキットレイヤに付着され得る。これにより、無駄なレイヤを除去し、厚さを小さくすることができる。
【０４６０】
前記カバー部と前記ベース部とは、互いに結束できるように結束部材２８２０、２８２１を有し得る。
【０４６１】
或いは、カバー部に柱を、ベース部に孔２８０１を備え、互いに結束することができる。
【０４６２】
エレクトロード部は、カバー部とベース部との間に挿入され、電気的連結部材を介してサーキットレイヤと連結され得る。
【０４６３】
前記サーキットレイヤは、前記第２ベース部に付着され得る。
【０４６４】
前記サーキットレイヤは、１つの複合機能入力ボタンの電気的連結部材と連結されており、別途のサーキットレイヤを介して制御部に連結され得る。
【０４６５】
前記サーキットレイヤは、複数の複合機能入力ボタンの電気的連結部材と同時に連結され、制御部に連結され得る。
【０４６６】
前記エレクトロード部の幅２８３２は、前記サーキットレイヤの幅２８３１よりも広くても良い。これにより、カバー部の位置が移動する場合、電気的連結部材の移動を最小化することができ、ユーザへの物理的抵抗を最小化することができる。
【０４６７】
前記電気的連結部材２８１９は、カバー部の位置が移動する場合に共に形状が変わるよう、軟質の材質で構成することができる。
【０４６８】
前記電気的連結部材２８１９は、カバー部の位置が移動する場合、前記第２ベース部よりも低い位置２８４３に移動しながら形状が変形し得る。
【０４６９】
図２９は、無線方式の電気的連結部材の実施例である。
【０４７０】
複合機能入力ボタンの弾性部と平衡維持部を除いた複合機能入力ボタンの一部２９３０である。
【０４７１】
複合機能入力ボタンは、カバー部２９０２と、エレクトロード部２９０１と、第１電気的連結部材２９０３、２９０４と、第２電気的連結部材２９３３、２９３４と、ベース部２９３２と、サーキットレイヤ２９３１とにより構成され得る。
【０４７２】
第１電気的連結部材は、トランスミッタと連結された電気的連結部材２９０３と、レシーバと連結された電気的連結部材２９０４とにより構成され得る。
【０４７３】
第２電気的連結部材は、トランスミッタと連結された電気的連結部材２９０３と対応する電気的連結部材２９３３と、レシーバと連結された電気的連結部材２９０４と対応する電気的連結部材２９３４とにより構成され得る。
【０４７４】
前記第１電気的連結部材と前記第２電気的連結部材とは、互いに物理的に接合されていない状態で無線で電気信号を伝達することができる。
【０４７５】
前記第１電気的連結部材及び前記第２電気的連結部材は、高周波信号を使用して無線で電気的信号を伝達することができる。
【０４７６】
前記第１電気的連結部材及び前記第２電気的連結部材は、静電誘導方法を使用して無線で電気的信号を伝達することができる。
【０４７７】
前記第１電気的連結部材及び前記第２電気的連結部材は、数回巻かれたコイル方式２９４０であるか、螺旋形方式２９５０であるか、不導体周囲を巻く方式２９６０のうち少なくとも１つの方式であり得る。
【０４７８】
複合ヒューマンインターフェースが備えられた電子機器は、第１から第５複合機能入力ボタンと、前記入力ボタンから受信した信号を制御部に伝達するサーキットレイヤとにより構成され、前記各々の複合機能入力ボタンは、ユーザのタッチ入力を受信するトランスミッタ部とレシーバ部とにより構成されたエレクトロード部と、前記エレクトロード部と連結された電気的連結部材と、ユーザの物理的圧力に反応してテキスト入力信号を発生するスイッチとにより構成され、前記トランスミッタ部は、互いに異なるドライバ信号発生タイミングを有する第１から第２トランスミッタを有し、前記レシーバ部は、少なくとも２つの互いに異なるスキャンタイミングを有する第１から第２レシーバを有し、前記電気的連結部材は、前記ユーザの物理的圧力によって前記エレクトロード部と前記サーキットレイヤとの相対的位置が変わっても電気的に連結することができる。
【０４７９】
前記第４複合機能入力ボタンの前記第１レシーバは、前記第２複合機能入力ボタンの前記第２レシーバと同じスキャンタイミングを有し、前記第４複合機能入力ボタンの前記第２レシーバは、前記第１複合機能入力ボタンの前記第１レシーバと同じスキャンタイミングを有し得る。
【０４８０】
前記第１から第３複合機能入力ボタンの前記第１トランスミッタは、第１ドライブ信号発生タイミングを有し、前記第１から第３複合機能入力ボタンの前記第２トランスミッタは、第２ドライブ信号発生タイミングを有し、前記第１ドライブ信号発生タイミングと前記第２ドライブ信号発生タイミングとは互いに異なっていても良い。
【０４８１】
前記第４複合機能入力ボタンの第２トランスミッタは、第３ドライブ信号発生タイミングを有し、前記第５複合機能入力ボタンの第１トランスミッタは、第４ドライブ信号発生タイミングを有し、前記第３ドライブ信号発生タイミングと前記第１ドライブ信号発生タイミングと前記第２ドライブ信号発生タイミングと前記第４ドライブ信号発生タイミングとは順次的であり得る。
【０４８２】
前記第５複合機能入力ボタンの前記第１レシーバは、前記第１複合機能入力ボタンの前記第２レシーバと同じスキャンタイミングを有し、前記第５複合機能入力ボタンの前記第２レシーバは、前記第３複合機能入力ボタンの前記第１レシーバと同じスキャンタイミングを有し得る。
【０４８３】
前記サーキットレイヤと、前記第１複合機能入力ボタンの前記エレクトロード部と、前記第１複合機能入力ボタンの前記電気的連結部材とは、１つのフレキシブルプリント回路基板（ＦＰＣＢ）からなる複合ヒューマンインターフェースが備えられ得る。
【０４８４】
前記第１から前記第５複合機能入力ボタンの前記エレクトロード部と、前記第１から前記第５複合機能入力ボタンの前記電気的連結部材と、前記サーキットレイヤとは、１つのフレキシブルプリント回路基板（ＦＰＣＢ）からなる複合ヒューマンインターフェースが備えられ得る。
【０４８５】
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、互いに電気的に連結された状態を維持することができる。
【０４８６】
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、前記第１リードと前記第２リードとは、互いに所定間隔以上離れており、電磁誘導現象で電気的信号を送信することができる。
【０４８７】
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、前記第１リードと前記第２リードとは、互いに所定間隔以上離れており、高周波信号を使用して電気的信号を送信することができる。
【０４８８】
前記電気的連結部材は、前記エレクトロード部と前記サーキットレイヤとを電気的に連結する弾性のある材質で構成され、ユーザの圧力信号によって前記エレクトロード部の位置が移動する際、前記ユーザの圧力信号とは逆方向の力を発生し、前記ユーザの圧力信号が除去された場合、前記エレクトロード部を前記移動前の位置に戻すことができる。
【０４８９】
前記第４複合機能入力ボタンの前記第１レシーバは、前記第１複合機能入力ボタンの前記第１レシーバと同じスキャンタイミングを有し、前記第４複合機能入力ボタンの前記第２レシーバは、前記第１複合機能入力ボタンの前記第２レシーバ及び前記第５複合機能入力ボタンの前記第１レシーバと同じスキャンタイミングを有し得る。
【０４９０】
前記第４複合機能入力ボタンの前記第１トランスミッタは、前記第１複合機能入力ボタンの前記第１トランスミッタと同じドライバ信号発生タイミングを有し、前記第４複合機能入力ボタンの前記第２トランスミッタは、前記第１複合機能入力ボタンの前記第２トランスミッタ及び前記第５複合機能入力ボタンの前記第１トランスミッタと同じドライブ信号発生タイミングを有し得る。
【０４９１】
前記第１から第３複合機能入力ボタンの前記第１レシーバは、第１スキャンタイミングを有し、前記第１から第３複合機能入力ボタンの前記第２レシーバは、第２スキャンタイミングを有し、前記第１スキャンタイミングと前記第２スキャンタイミングとは互いに異なっていても良い。
【０４９２】
前記第４複合機能入力ボタンの第２レシーバは、第３スキャンタイミングを有し、前記第５複合機能入力ボタンの第１レシーバは、第４スキャンタイミングを有し、前記第３スキャンタイミングと前記第１スキャンタイミングと前記第２スキャンタイミングと前記第４スキャンタイミングとは順次的であり得る。
【０４９３】
前記第４複合機能入力ボタンの前記第１トランスミッタは、前記第２複合機能入力ボタンの前記第２トランスミッタと同じドライバ信号発生タイミングを有し、前記第４複合機能入力ボタンの前記第２トランスミッタは、前記第１複合機能入力ボタンの前記第１トランスミッタと同じドライブ信号発生タイミングを有し得る。
【０４９４】
前記第３複合機能入力ボタンの前記第１トランスミッタは、前記第５複合機能入力ボタンの前記第２トランスミッタと同じドライバ信号発生タイミングを有し得る。
【０４９５】
前記複合機能入力ボタンは、第１制御部をさらに含み、前記制御部は、前記複合機能入力ボタンから受信した前記タッチ信号と前記テキスト入力信号とを処理し、第２制御部に送信することができる。
【０４９６】
前記サーキットレイヤは、前記第１から第５複合機能入力ボタンのトランスミッタにドライブ信号を伝達するドライブ信号発生部と、前記第１から第５複合機能入力ボタンのレシーバからスキャン信号を受信するスキャン信号受信部とにより構成され得る。
【０４９７】
前記第１から第５複合機能入力ボタンは、複数の電気的連結部材を備え、前記第１複合機能入力ボタンは、前記第２、３、４、５複合機能入力ボタンの電気的連結部材と連結されており、前記第２複合機能入力ボタンは、前記第１、４複合機能入力ボタンの電気的連結部材と連結されており、前記第３複合機能入力ボタンは、前記第１複合機能入力ボタンの電気的連結部材と連結されており、前記第４複合機能入力ボタンは、前記第１、２複合機能入力ボタンの電気的連結部材と連結されており、前記第５複合機能入力ボタンは、前記第１、３複合機能入力ボタンの電気的連結部材と連結され得る。
【０４９８】
図１から図２９は、本発明が説明しようとする複合ヒューマンインターフェース機器が備えられた電子装置として、ポインティング装置一体型のテキスト入力装置の一例を説明したものであり、テキスト入力装置とポインティング位置情報入力装置の類型及び使用される技術は、当業者によって基本の目的を異にしないまま変更または取替え可能なことを含む。
【産業上の利用可能性】
【０４９９】
上述のように、本発明は、テキスト入力装置とポインタ位置情報入力装置を備えた複合ヒューマンインターフェース装置を使用する電子機器に全体的に又は部分的に適用され得る。
【図１】
2019521462.tif 000003
【図２】
2019521462.tif 000004
【図３】
2019521462.tif 000005
【図４】
2019521462.tif 000006
【図５】
2019521462.tif 000007
【図６】
2019521462.tif 000008
【図７】
2019521462.tif 000009
【図８】
2019521462.tif 000010
【図９】
2019521462.tif 000011
【図１０】
2019521462.tif 000012
【図１１】
2019521462.tif 000013
【図１２】
2019521462.tif 000014
【図１３】
2019521462.tif 000015
【図１４】
2019521462.tif 000016
【図１５】
2019521462.tif 000017
【図１６】
2019521462.tif 000018
【図１７】
2019521462.tif 000019
【図１８】
2019521462.tif 000020
【図１９】
2019521462.tif 000021
【図２０】
2019521462.tif 000022
【図２１】
2019521462.tif 000023
【図２２】
2019521462.tif 000024
【図２３】
2019521462.tif 000025
【図２４】
2019521462.tif 000026
【図２５】
2019521462.tif 000027
【図２６】
2019521462.tif 000028
【図２７】
2019521462.tif 000029
【図２８】
2019521462.tif 000030
【図２９】
2019521462.tif 000031
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
複合ヒューマンインターフェースを備える電子機器において、
予め決められたキーボードレイアウトを形成し、ユーザからテキスト入力を受けるためのテキスト領域と、前記予め決められたキーボードレイアウトの少なくとも一部を形成し、前記ユーザからタッチ入力を受けるためのタッチ領域と、前記テキスト領域及び前記タッチ領域が重なる領域に配列される複合機能ボタンと、を含み、
前記複合機能ボタンのそれぞれは、前記ユーザによってタッチされる、または物理的圧力が印加されるカバーと、前記物理的圧力によってテキスト入力信号を発生するスイッチと、前記タッチによってポインタ位置関連情報を生成するトランスミッタ部及びレシーバ部を形成するよう前記カバーの背面に格子パターンで配列される複数のエレクトロードと、を含み、
前記複数のエレクトロードは、前記格子パターン上において互いにずれて配列される第１エレクトロード及び第２エレクトロードを含み、前記第１エレクトロードは、前記キーボードレイアウトの長さ方向に沿って電気的に連結されることにより、前記トランスミッタ部及び前記レシーバ部のうち何れか１つとして機能する複数の第１エレクトロードラインを形成し、前記第２エレクトロードは、前記キーボードレイアウトの幅方向に沿って電気的に連結されることにより、前記トランスミッタ部及び前記レシーバ部のうち他の１つとして機能する複数の第２エレクトロードラインを形成し、
前記複合機能ボタンのうち第１ボタンに属する第２エレクトロードラインと、前記複合機能ボタンのうち前記第１ボタンと前記幅方向に隣接した第２ボタンに属する第２エレクトロードラインとを電気的に連結し、前記第１ボタン及び前記第２ボタンが前記長さ方向上において第１移動距離だけ移動した場合は、前記複合機能ボタン内において前記長さ方向による順序が互いに異なっているものの前記長さ方向上の物理的位置が同一な第２エレクトロードライン同士を電気的に連結し、前記第１ボタン及び前記第２ボタンが前記長さ方向上において前記第１移動距離よりも小さい第２移動距離だけ移動した場合は、前記複合機能ボタン内において前記長さ方向上の物理的位置が互いに異なっているものの前記長さ方向による順序が同一な第２エレクトロードライン同士を電気的に連結することによって、前記複合機能ボタンの全てに対して単一の前記格子パターンを適用しながらも、前記複数の第２エレクトロードラインが前記幅方向に沿って前記タッチ領域の全体に亘って電気的に連結されることを特徴とする
電子機器。
【請求項２】
前記第１ボタンに属する第２エレクトロードラインと、前記第２ボタンに属する第２エレクトロードラインとを電気的に連結し、前記第１ボタン及び前記第２ボタンが前記長さ方向上において同一に位置する場合は、前記複合機能ボタン内において前記長さ方向による順序及び前記長さ方向上の物理的位置が同一なライン同士を電気的に連結する、
請求項１に記載の電子機器。
【請求項３】
前記複合機能ボタンのうち第３ボタンに属する第１エレクトロードラインと、前記複合機能ボタンのうち前記第３ボタンと前記長さ方向に隣接した第４ボタンに属する第１エレクトロードラインとを電気的に連結し、前記複合機能ボタン内において前記幅方向による順序及び前記長さ方向上の物理的位置が同一な第１エレクトロードライン同士を電気的に連結する、
請求項１または２に記載の電子機器。
【請求項４】
前記複合機能ボタン内において前記長さ方向上の物理的位置が互いに異なっているものの前記長さ方向による順序が同一なライン同士で電気的に連結された前記第２エレクトロード間の前記長さ方向上の物理的位置は、前記第２移動距離だけ離隔される、
請求項１から３のいずれか一項に記載の電子機器。
【請求項５】
前記複数の第２エレクトロードは、前記複合機能ボタン内において前記長さ方向に沿って互いに所定間隔に離隔配置され、
前記第１移動距離は、前記所定間隔の整数倍である、
請求項１から４のいずれか一項に記載の電子機器。
【請求項６】
前記複数の第２エレクトロードは、前記複合機能ボタン内において前記長さ方向に沿って互いに所定間隔に離隔配置され、
前記第２移動距離は、前記所定間隔の整数倍ではない、
請求項１から４のいずれか一項に記載の電子機器。
【請求項７】
前記複合機能ボタンから受信される信号を処理する制御部を含み、
前記制御部は、前記複合機能ボタン内において前記長さ方向上の物理的位置が互いに異なっているものの前記長さ方向による順序が同一なライン同士で電気的に連結された前記第２エレクトロードと関連して得られる前記ポインタ位置関連情報を補正する、
請求項１から６のいずれか一項に記載の電子機器。
【請求項８】
前記制御部は、前記第２移動距離に基づいて前記ポインタ位置関連情報を補正する、
請求項７に記載の電子機器。
【請求項９】
前記複合機能ボタンから受信される信号を処理する制御部を含み、
前記制御部は、前記長さ方向上の物理的位置が異なるライン同士で電気的に連結された前記第２エレクトロードが一列に連結されていないことによって生じる信号歪曲を補正する、
請求項１から８のいずれか一項に記載の電子機器。
【請求項１０】
前記複合機能ボタン内において前記長さ方向上の物理的位置が互いに異なっているものの前記長さ方向による順序が同一なライン同士で連結された前記第２エレクトロードから発生する信号は、前記第２移動距離に基づいて補正される、
請求項１から９のいずれか一項に記載の電子機器。
【請求項１１】
複合ヒューマンインターフェースを備える電子機器において、
予め決められたキーボードレイアウトを形成し、ユーザからテキスト入力を受けるためのテキスト領域と、
前記予め決められたキーボードレイアウトの少なくとも一部を形成し、ユーザからタッチ入力を受けるためのタッチ領域と、
前記テキスト領域及び前記タッチ領域が重なる領域に配列される複合機能ボタンと、を含み、
前記複合機能ボタンのそれぞれは、
ユーザによってタッチされる、または物理的圧力を印加されるカバーと、
前記カバーに印加される物理的圧力によってテキスト入力信号を発生するスイッチと、
互いにずれて配列される第１エレクトロード及び第２エレクトロードを含み、格子パターンを形成する複数のエレクトロードと、
前記第１エレクトロードが前記キーボードレイアウトの長さ方向に沿って電気的に連結されることにより形成され、前記複合機能ボタン内において前記キーボードレイアウトの幅方向に沿って第１離隔間隔に配置され、互いに異なるドライブタイミングを有する複数のトランスミッタを含むトランスミッタ部と、
前記第２エレクトロードが前記幅方向に沿って電気的に連結されることにより形成され、前記複合機能ボタン内において前記長さ方向に沿って第２離隔間隔に配置され、互いに異なるスキャンタイミングを有する複数のレシーバを含むレシーバ部と、
前記トランスミッタ部及びレシーバ部において前記タッチにより生成されるポインタ位置関連情報を制御部に伝達するサーキットレイヤと、を含み、
前記レシーバは、前記複合機能ボタンのうち前記幅方向に沿って順に隣接配列されたボタンの間で同じスキャンタイミングを有する単一のスキャンラインを形成し、
前記ポインタ位置関連情報は、前記単一のスキャンラインに属する前記レシーバのうち物理的に前記幅方向上において一列に配置されていないレシーバから発生する信号によって補正される、
電子機器。
【請求項１２】
複合ヒューマンインターフェースを備える電子機器において、
予め決められたキーボードレイアウトを形成し、ユーザからテキスト入力を受けるためのテキスト領域と、
前記予め決められたキーボードレイアウトの少なくとも一部を形成し、ユーザからタッチ入力を受けるためのタッチ領域と、
前記テキスト領域及び前記タッチ領域が重なる領域に配列される複合機能ボタンと、を含み、
前記複合機能ボタンのそれぞれは、
ユーザによってタッチされる、または物理的圧力を印加されるカバーと、
前記カバーに印加される物理的圧力によってテキスト入力信号を発生するスイッチと、
互いにずれて配列される第１エレクトロード及び第２エレクトロードを含み、格子パターンを形成する複数のエレクトロードと、
前記第１エレクトロードが前記キーボードレイアウトの長さ方向に沿って電気的に連結されることにより形成され、前記複合機能ボタン内において前記キーボードレイアウトの幅方向に沿って第１離隔間隔に配置され、互いに異なるドライブタイミングを有する複数のトランスミッタを含むトランスミッタ部と、
前記第２エレクトロードが前記幅方向に沿って電気的に連結されることにより形成され、前記複合機能ボタン内において前記長さ方向に沿って第２離隔間隔に配置され、互いに異なるスキャンタイミングを有する複数のレシーバを含むレシーバ部と、
前記トランスミッタ部及びレシーバ部において前記タッチにより生成されるポインタ位置関連情報を制御部に伝達するサーキットレイヤと、を含み、
前記キーボードレイアウト上の第１行に位置する第１レシーバは、前記第１行と前記幅方向に沿って隣接した前記キーボードレイアウト上の第２行に位置する第２レシーバのうち、隣接した２つのレシーバのうち前記第１レシーバにより近いレシーバと電気的に連結され、前記隣接した２つのレシーバがそれぞれ前記第１レシーバから同一な距離にあり、互いに異なる前記複合機能ボタンに属する場合、前記隣接した２つのレシーバのうち、前記第１レシーバが属する前記複合機能ボタンと前記長さ方向に沿った移動距離がより小さい前記複合機能ボタンに属するレシーバと電気的に連結される、
電子機器。
【手続補正２】
【補正対象書類名】明細書
【補正対象項目名】０４９８
【補正方法】変更
【補正の内容】
【０４９８】
図１から図２９は、本発明が説明しようとする複合ヒューマンインターフェース機器が備えられた電子装置として、ポインティング装置一体型のテキスト入力装置の一例を説明したものであり、テキスト入力装置とポインティング位置情報入力装置の類型及び使用される技術は、当業者によって基本の目的を異にしないまま変更または取替え可能なことを含む。
（項目１）
複合ヒューマンインターフェースが備えられた電子機器において、
第１から第５複合機能入力ボタンと、
前記入力ボタンから受信した信号を制御部に伝達するサーキットレイヤとにより構成され、
前記複合機能入力ボタンの各々は、
ユーザのポインタ位置関連情報の入力を受信するトランスミッタ部とレシーバ部とにより構成されたエレクトロード部と、
前記エレクトロード部と連結された電気的連結部材と、
ユーザの物理的圧力に反応してテキスト入力信号を発生するスイッチとにより構成され、
前記トランスミッタ部は、互いに異なるドライバ信号発生タイミングを有する第１及び第２トランスミッタを有し、前記レシーバ部は、少なくとも２つの互いに異なるスキャンタイミングを有する第１及び第２レシーバを有し、
前記電気的連結部材は、前記ユーザの物理的圧力によって前記エレクトロード部と前記サーキットレイヤとの相対的位置が変わっても電気的に連結する、複合ヒューマンインターフェースが備えられた電子機器。
（項目２）
前記第４複合機能入力ボタンの前記第１レシーバは、前記第２複合機能入力ボタンの前記第２レシーバと同じスキャンタイミングを有し、
前記第４複合機能入力ボタンの前記第２レシーバは、前記第１複合機能入力ボタンの前記第１レシーバと同じスキャンタイミングを有する、項目１に記載の複合ヒューマンインターフェースが備えられた電子機器。
（項目３）
前記第１から第３複合機能入力ボタンの前記第１トランスミッタは、第１ドライブ信号発生タイミングを有し、前記第１から第３複合機能入力ボタンの前記第２トランスミッタは、第２ドライブ信号発生タイミングを有し、前記第１ドライブ信号発生タイミングと前記第２ドライブ信号発生タイミングとは互いに異なる、項目１に記載の複合ヒューマンインターフェースが備えられた電子機器。
（項目４）
前記第４複合機能入力ボタンの第２トランスミッタは、第３ドライブ信号発生タイミングを有し、前記第５複合機能入力ボタンの第１トランスミッタは、第４ドライブ信号発生タイミングを有し、前記第３ドライブ信号発生タイミングと前記第１ドライブ信号発生タイミングと前記第２ドライブ信号発生タイミングと前記第４ドライブ信号発生タイミングとは順次的である、項目３に記載の複合ヒューマンインターフェースが備えられた電子機器。
（項目５）
前記第５複合機能入力ボタンの前記第１レシーバは、前記第１複合機能入力ボタンの前記第２レシーバと同じスキャンタイミングを有し、
前記第５複合機能入力ボタンの前記第２レシーバは、前記第３複合機能入力ボタンの前記第１レシーバと同じスキャンタイミングを有する、項目１に記載の複合ヒューマンインターフェースが備えられた電子機器。
（項目６）
前記サーキットレイヤと、前記第１複合機能入力ボタンの前記エレクトロード部と、前記第１複合機能入力ボタンの前記電気的連結部材とは、１つのフレキシブルプリント回路基板（ＦＰＣＢ）からなる、項目１から５のいずれか一項に記載の複合ヒューマンインターフェースが備えられた電子機器。
（項目７）
前記第１から前記第５複合機能入力ボタンの前記エレクトロード部と、前記第１から前記第５複合機能入力ボタンの前記電気的連結部材と、前記サーキットレイヤとは、１つのフレキシブルプリント回路基板（ＦＰＣＢ）からなる、項目１から６のいずれか一項に記載の複合ヒューマンインターフェースが備えられた電子機器。
（項目８）
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、互いに電気的に連結された状態を維持する、項目１から７のいずれか一項に記載の複合ヒューマンインターフェースが備えられた電子機器。
（項目９）
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、前記第１リードと前記第２リードとは、互いに所定間隔以上離れており、電磁誘導現象で電気的信号を送信する、項目１から７のいずれか一項に記載の複合ヒューマンインターフェースが備えられた電子機器。
（項目１０）
前記電気的連結部材は、前記エレクトロード部と連結された第１リードと、前記サーキットレイヤと連結された第２リードとにより構成され、前記第１リードと前記第２リードとは、ユーザの圧力信号がある場合に相対的な位置が変わり、前記第１リードと前記第２リードとは、互いに所定間隔以上離れており、高周波信号を使用して電気的信号を送信する、項目１から７のいずれか一項に記載の複合ヒューマンインターフェースが備えられた電子機器。
（項目１１）
前記電気的連結部材は、前記エレクトロード部と前記サーキットレイヤとを電気的に連結する弾性のある材質で構成され、ユーザの圧力信号によって前記エレクトロード部の位置が移動する際、前記ユーザの圧力信号とは逆方向の力を発生し、前記ユーザの圧力信号が除去された場合、前記エレクトロード部を前記移動前の位置に戻す、項目１から１０のいずれか一項に記載の複合ヒューマンインターフェースが備えられた電子機器。
（項目１２）
前記第４複合機能入力ボタンの前記第１レシーバは、前記第１複合機能入力ボタンの前記第１レシーバと同じスキャンタイミングを有し、
前記第４複合機能入力ボタンの前記第２レシーバは、前記第１複合機能入力ボタンの前記第２レシーバ及び前記第５複合機能入力ボタンの前記第１レシーバと同じスキャンタイミングを有する、項目１に記載の複合ヒューマンインターフェースが備えられた電子機器。
（項目１３）
前記第４複合機能入力ボタンの前記第１トランスミッタは、前記第１複合機能入力ボタンの前記第１トランスミッタと同じドライバ信号発生タイミングを有し、
前記第４複合機能入力ボタンの前記第２トランスミッタは、前記第１複合機能入力ボタンの前記第２トランスミッタ及び前記第５複合機能入力ボタンの前記第１トランスミッタと同じドライブ信号発生タイミングを有する、項目１に記載の複合ヒューマンインターフェースが備えられた電子機器。
（項目１４）
前記第１から第３複合機能入力ボタンの前記第１レシーバは、第１スキャンタイミングを有し、前記第１から第３複合機能入力ボタンの前記第２レシーバは、第２スキャンタイミングを有し、前記第１スキャンタイミングと前記第２スキャンタイミングとは互いに異なる、項目１に記載の複合ヒューマンインターフェースが備えられた電子機器。
（項目１５）
前記第４複合機能入力ボタンの第２レシーバは、第３スキャンタイミングを有し、前記第５複合機能入力ボタンの第１レシーバは、第４スキャンタイミングを有し、前記第３スキャンタイミングと前記第１スキャンタイミングと前記第２スキャンタイミングと前記第４スキャンタイミングとは順次的である、項目１４に記載の複合ヒューマンインターフェースが備えられた電子機器。
（項目１６）
前記第４複合機能入力ボタンの前記第１トランスミッタは、前記第２複合機能入力ボタンの前記第２トランスミッタと同じドライバ信号発生タイミングを有し、
前記第４複合機能入力ボタンの前記第２トランスミッタは、前記第１複合機能入力ボタンの前記第１トランスミッタと同じドライブ信号発生タイミングを有する、項目１に記載の複合ヒューマンインターフェースが備えられた電子機器。
（項目１７）
前記第３複合機能入力ボタンの前記第１トランスミッタは、前記第５複合機能入力ボタンの前記第２トランスミッタと同じドライバ信号発生タイミングを有する、項目１６に記載の複合ヒューマンインターフェースが備えられた電子機器。
（項目１８）
第１制御部をさらに含み、
前記制御部は、前記複合機能入力ボタンから受信した前記ポインタ位置関連情報と前記テキスト入力信号とを処理し、第２制御部に送信する、項目１から１７のいずれか一項に記載の複合ヒューマンインターフェースが備えられた電子機器。
（項目１９）
前記サーキットレイヤは、前記第１から第５複合機能入力ボタンのトランスミッタにドライブ信号を伝達するドライブ信号発生部と、前記第１から第５複合機能入力ボタンのレシーバからスキャン信号を受信するスキャン信号受信部とにより構成される、項目１から１８のいずれか一項に記載の複合ヒューマンインターフェースが備えられた電子機器。
（項目２０）
前記第１から第５複合機能入力ボタンは、複数の電気的連結部材を備え、前記第１複合機能入力ボタンは、前記第２、３、４、５複合機能入力ボタンの電気的連結部材と連結されており、前記第２複合機能入力ボタンは、前記第１、４複合機能入力ボタンの電気的連結部材と連結されており、前記第３複合機能入力ボタンは、前記第１複合機能入力ボタンの電気的連結部材と連結されており、前記第４複合機能入力ボタンは、前記第１、２複合機能入力ボタンの電気的連結部材と連結されており、前記第５複合機能入力ボタンは、前記第１、３複合機能入力ボタンの電気的連結部材と連結されている、項目１に記載の複合ヒューマンインターフェースが備えられた電子機器。
【国際調査報告】
2019521462.tif 000032
2019521462.tif 000033
2019521462.tif 000034
2019521462.tif 000035